(57)【要約】  本発明の或る実施形態は、ポート設定方法を提供し、この方法は、ポートを介して第1の検出メッセージおよび第2の検出メッセージを同時に開始するステップであって、第1の検出メッセージは、第1のネットワークサーバを検出するために使用され、第2の検出メッセージは、第2のネットワークサーバを検出するために使用されるステップと、第1の検出メッセージに対する第1の応答メッセージおよび第2の検出メッセージに対する第2の応答メッセージのうちの少なくとも一方が所定の時間内に受信された場合、ポートの機能モードをワイドエリアネットワークWANモードに設定するステップと、そうでない場合、ポートの機能モードをローカルエリアネットワークLANモードに設定するステップとを含む。本発明の或る実施形態は、対応するルーティングデバイス、および対応するコンピュータプログラム製品をさらに提供する。本発明の実施形態において提供されるポート設定方法、ルーティングデバイス、およびコンピュータプログラム製品によって、ルーティングデバイスは、ポートの機能モードをWANモードまたはLANモードに自動的に設定することができ、ポートの機能モードを設定するプロセスが簡略化される。
2014535228.tif 000002
【特許請求の範囲】
【請求項１】
ポート設定方法であって、
ポートを介して第1の検出メッセージおよび第2の検出メッセージを同時に開始するステップであって、前記第1の検出メッセージは、第1のネットワークサーバを検出するために使用され、前記第2の検出メッセージは、第2のネットワークサーバを検出するために使用される、ステップと、
前記第1の検出メッセージに対する第1の応答メッセージおよび前記第2の検出メッセージに対する第2の応答メッセージのうちの少なくとも一方が所定の時間内に受信された場合、前記ポートの機能モードをワイドエリアネットワークWANモードに設定するステップと、
前記第1の検出メッセージに対する前記第1の応答メッセージが前記所定の時間内に受信されず、前記第2の検出メッセージに対する前記第2の応答メッセージも前記所定の時間内に受信されなかった場合、前記ポートの前記機能モードをローカルエリアネットワークLANモードに設定するステップと
を含む方法。
【請求項２】
前記第1の検出メッセージは、動的ホスト構成プロトコルDHCP発見メッセージであり、前記第1の応答メッセージは、DHCPオファメッセージであり、前記第2の検出メッセージは、ポイントツーポイントプロトコルオーバイーサネット（登録商標）能動的発見開始PADIメッセージであり、前記第2の応答メッセージは、ポイントツーポイントプロトコルオーバイーサネット（登録商標）能動的発見オファPADOメッセージである請求項1に記載の方法。
【請求項３】
前記第1の検出メッセージに対する第1の応答メッセージおよび前記第2の検出メッセージに対する第2の応答メッセージのうちの少なくとも一方が所定の時間内に受信された場合、前記ポートの前記機能モードをワイドエリアネットワークWANモードに前記設定するステップは、具体的には、
前記DHCPオファメッセージが前記所定の時間内に受信された際に前記PADOメッセージが受信されなかった場合、
前記DHCPオファメッセージに従って、前記DHCPオファメッセージの中のIPアドレスを前記ポートに割り当て、前記DHCPオファメッセージを送信するDHCPサーバを相手にDHCPセッションを確立し、前記ポートの前記機能モードをWANモードに設定するステップであり、
前記PADOメッセージが前記所定の時間内に受信された際に前記DHCPオファメッセージが受信されなかった場合、
前記PADOメッセージに従って、前記PADOメッセージを送信するPPPoEサーバを相手にPPPoEセッションを確立し、前記ポートの前記機能モードをWANモードに設定するステップである、
請求項2に記載の方法。
【請求項４】
前記第1の検出メッセージに対する第1の応答メッセージおよび前記第2の検出メッセージに対する第2の応答メッセージのうちの少なくとも一方が所定の時間内に受信された場合、前記ポートの前記機能モードをワイドエリアネットワークWANモードに前記設定するステップは、具体的には、
前記PADOメッセージが前記所定の時間内に受信された際に前記DHCPオファメッセージが受信されなかった場合、待ちつづけ、その後、前記DHCPオファメッセージが前記所定の時間内に受信された場合、前記DHCPオファメッセージに従って、前記DHCPオファメッセージの中のIPアドレスを前記ポートに割り当て、前記DHCPオファメッセージを送信するDHCPサーバを相手にDHCPセッションを確立し、前記ポートの前記機能モードをWANモードに設定し、前記DHCPオファメッセージが前記所定の時間内に受信されなかった場合、前記PADOメッセージに従って、前記PADOメッセージを送信するPPPoEサーバを相手にPPPoEセッションを確立し、前記ポートの前記機能モードをWANモードに設定するステップであり、
前記DHCPオファメッセージが前記所定の時間内に受信された際に前記PADOメッセージが受信されなかった場合、
前記DHCPオファメッセージに従って、前記DHCPオファメッセージの中の前記IPアドレスを前記ポートに割り当て、前記DHCPオファメッセージを送信するDHCPサーバを相手にDHCPセッションを確立し、前記ポートの前記機能モードをWANモードに設定するステップである、
請求項2に記載の方法。
【請求項５】
ポート設定方法であって、
ポートを介して第1の検出メッセージを開始するステップであって、前記第1の検出メッセージは、第1のネットワークサーバを検出するために使用される、ステップと、
前記第1の検出メッセージに対する第1の応答メッセージが第1の所定の時間内に受信された場合、前記ポートの機能モードをワイドエリアネットワークWANモードに設定するステップと、
前記第1の検出メッセージに対する前記第1の応答メッセージが前記第1の所定の時間内に受信されなかった場合、前記ポートを介して第2の検出メッセージを開始するステップであって、前記第2の検出メッセージは、第2のネットワークサーバを検出するために使用される、ステップと、
前記第2の検出メッセージに対する第2の応答メッセージが第2の所定の時間内に受信された場合、前記ポートの前記機能モードをWANモードに設定するステップと、
前記第2の検出メッセージに対する前記第2の応答メッセージが前記第2の所定の時間内に受信されなかった場合、前記ポートの前記機能モードをローカルエリアネットワークLANモードに設定するステップと
を含む方法。
【請求項６】
前記第1の検出メッセージは、動的ホスト構成プロトコルDHCP発見メッセージであり、前記第1の応答メッセージは、DHCPオファメッセージであり、前記第2の検出メッセージは、ポイントツーポイントプロトコルオーバイーサネット（登録商標）能動的発見開始PADIメッセージであり、前記第2の応答メッセージは、ポイントツーポイントプロトコルオーバイーサネット（登録商標）能動的発見オファPADOメッセージである請求項5に記載の方法。
【請求項７】
前記DHCPオファメッセージが前記第1の所定の時間内に受信された場合、前記ポートの前記機能モードをWANモードに前記設定するステップは、具体的には、
前記DHCPオファメッセージの中のIPアドレスを前記ポートに割り当て、前記DHCPオファメッセージを送信するDHCPサーバを相手にDHCPセッションを確立し、前記ポートの前記機能モードをWANモードに設定するステップであり、
前記PADOメッセージが前記第2の所定の時間内に受信された場合、前記ポートの前記機能モードをWANモードに前記設定するステップは、具体的には、
前記PADOメッセージを送信するPPPoEサーバを相手にPPPoEセッションを確立し、前記ポートの前記機能モードをWANモードに設定するステップである、
請求項6に記載の方法。
【請求項８】
ポートを備えたルーティングデバイスであって、以下の構造体、すなわち、
前記ポートを介して第1の検出メッセージおよび第2の検出メッセージを同時に開始するように構成された第3の検出ユニットであって、前記第1の検出メッセージは、第1のネットワークサーバを検出するために使用され、前記第2の検出メッセージは、第2のネットワークサーバを検出するために使用される、第3の検出ユニットと、
前記第1の検出メッセージに対する第1の応答メッセージおよび前記第2の検出メッセージに対する第2の応答メッセージのうちの少なくとも一方が所定の時間内に受信された場合、前記ポートの機能モードをワイドエリアネットワークWANモードに設定するように構成された第2のWANモード設定ユニットと、
前記第1の検出メッセージに対する前記第1の応答メッセージが前記所定の時間内に受信されず、前記第2の検出メッセージに対する前記第2の応答メッセージも前記所定の時間内に受信されなかった場合、前記ポートの前記機能モードをローカルエリアネットワークLANモードに設定するように構成された第2のLANモード設定ユニットと
をさらに備えるルーティングデバイス。
【請求項９】
前記第1の検出メッセージは、動的ホスト構成プロトコルDHCP発見メッセージであり、前記第1の応答メッセージは、DHCPオファメッセージであり、前記第2の検出メッセージは、ポイントツーポイントプロトコルオーバイーサネット（登録商標）能動的発見開始PADIメッセージであり、前記第2の応答メッセージは、ポイントツーポイントプロトコルオーバイーサネット（登録商標）能動的発見オファPADOメッセージである請求項8に記載のルーティングデバイス。
【請求項１０】
前記第2のWANモード設定ユニットは、具体的には、
前記DHCPオファメッセージが前記所定の時間内に受信された際に前記PADOメッセージが受信されなかった場合、
前記DHCPオファメッセージに従って、前記DHCPオファメッセージの中のIPアドレスを前記ポートに割り当て、前記DHCPオファメッセージを送信するDHCPサーバを相手にDHCPセッションを確立し、前記ポートの前記機能モードをWANモードに設定し、
前記PADOメッセージが前記所定の時間内に受信された際に前記DHCPオファメッセージが受信されなかった場合、
前記PADOメッセージに従って、前記PADOメッセージを送信するPPPoEサーバを相手にPPPoEセッションを確立し、前記ポートの前記機能モードをWANモードに設定する
ように構成されている、請求項9に記載のルーティングデバイス。
【請求項１１】
前記第2のWANモード設定ユニットは、具体的には、
前記PADOメッセージが前記所定の時間内に受信された際に前記DHCPオファメッセージが受信されなかった場合、待ちつづけ、その後、前記DHCPオファメッセージが前記所定の時間内に受信された場合、前記DHCPオファメッセージに従って、前記DHCPオファメッセージの中のIPアドレスを前記ポートに割り当て、前記DHCPオファメッセージを送信するDHCPサーバを相手にDHCPセッションを確立し、前記ポートの前記機能モードをWANモードに設定し、前記DHCPオファメッセージが前記所定の時間内に受信されなかった場合、前記PADOメッセージに従って、前記PADOメッセージを送信するPPPoEサーバを相手にPPPoEセッションを確立し、前記ポートの前記機能モードをWANモードに設定し、
前記DHCPオファメッセージが前記所定の時間内に受信された際に前記PADOメッセージが受信されなかった場合、
前記DHCPオファメッセージに従って、前記DHCPオファメッセージの中の前記IPアドレスを前記ポートに割り当て、前記DHCPオファメッセージを送信するDHCPサーバを相手にDHCPセッションを確立し、前記ポートの前記機能モードをWANモードに設定する
ように構成されている、請求項9に記載のルーティングデバイス。
【請求項１２】
ポートを備えたルーティングデバイスであって、
前記ポートを介して第1の検出メッセージを開始するように構成された第1の検出ユニットであって、前記第1の検出メッセージは、第1のネットワークサーバを検出するために使用される、第1の検出ユニットと、
前記第1の検出メッセージに対する第1の応答メッセージが第1の所定の時間内に受信された場合、前記ポートの機能モードをワイドエリアネットワークWANモードに設定するように構成された第1のWANモード設定ユニットと、
前記第1の検出メッセージに対する前記第1の応答メッセージが前記第1の所定の時間内に受信されなかった場合、前記ポートを介して第2の検出メッセージを開始するように構成された、前記第2の検出メッセージは、第2のネットワークサーバを検出するために使用される第2の検出ユニットとをさらに備え、
前記第1のWANモード設定ユニットは、前記第2の検出メッセージに対する第2の応答メッセージが第2の所定の時間内に受信された場合、前記ポートの前記機能モードをWANモードに設定するようにさらに構成され、
前記ルーティングデバイスは、前記第2の検出メッセージに対する前記第2の応答メッセージが前記第2の所定の時間内に受信されなかった場合、前記ポートの前記機能モードをローカルエリアネットワークLANモードに設定するように構成された第1のLANモード設定ユニットをさらに備える、
ルーティングデバイス。
【請求項１３】
前記第1の検出ユニットは、動的ホスト構成プロトコルDHCPクライアントユニットであり、前記第1の検出メッセージは、DHCP発見メッセージであり、前記第1の応答メッセージは、DHCPオファメッセージであり、前記第2の検出ユニットは、ポイントツーポイントプロトコルオーバイーサネット（登録商標）PPPoEクライアントユニットであり、前記第2の検出メッセージは、ポイントツーポイントプロトコルオーバイーサネット（登録商標）能動的発見開始PADIメッセージであり、前記第2の応答メッセージは、ポイントツーポイントプロトコルオーバイーサネット（登録商標）能動的発見オファPADOメッセージである請求項12に記載のルーティングデバイス。
【請求項１４】
前記第1のWANモード設定ユニットは、具体的には、
前記DHCPオファメッセージが前記第1の所定の時間内に受信された場合、前記DHCPオファメッセージの中の前記IPアドレスを前記ポートに割り当て、前記DHCPオファメッセージを送信するDHCPサーバを相手にDHCPセッションを確立し、前記ポートの前記機能モードをWANモードに設定し、
前記PADOメッセージが前記第2の所定の時間内に受信された場合、前記PADOメッセージを送信するPPPoEサーバを相手にPPPoEセッションを確立し、前記ポートの前記機能モードをWANモードに設定する
ように構成されている、請求項13に記載のルーティングデバイス。
【請求項１５】
ポートと、
第2のプロセッサとを備え、前記第2のプロセッサは、ポートを介して第1の検出メッセージおよび第2の検出メッセージを同時に開始することであって、前記第1の検出メッセージは、第1のネットワークサーバを検出するために使用され、前記第2の検出メッセージは、第2のネットワークサーバを検出するために使用される、開始すること、前記第1の検出メッセージに対する第1の応答メッセージおよび前記第2の検出メッセージに対する第2の応答メッセージのうちの少なくとも一方が所定の時間内に受信された場合、前記ポートの機能モードをWANモードに設定すること、ならびに前記第1の検出メッセージに対する前記第1の応答メッセージが前記所定の時間内に受信されず、前記第2の検出メッセージに対する前記第2の応答メッセージも前記所定の時間内に受信されなかった場合、前記ポートの前記機能モードをLANモードに設定することを行うように構成されている、
ルーティングデバイス。
【請求項１６】
前記第1の検出メッセージは、動的ホスト構成プロトコルDHCP発見メッセージであり、前記第1の応答メッセージは、DHCPオファメッセージであり、前記第2の検出メッセージは、ポイントツーポイントプロトコルオーバイーサネット（登録商標）能動的発見開始PADIメッセージであり、前記第2の応答メッセージは、ポイントツーポイントプロトコルオーバイーサネット（登録商標）能動的発見オファPADOメッセージである請求項15に記載のルーティングデバイス。
【請求項１７】
前記第2のプロセッサは、具体的には、
前記DHCPオファメッセージが前記所定の時間内に受信された際に前記PADOメッセージが受信されなかった場合、
前記DHCPオファメッセージに従って、前記DHCPオファメッセージの中のIPアドレスを前記ポートに割り当て、前記DHCPオファメッセージを送信するDHCPサーバを相手にDHCPセッションを確立し、前記ポートの前記機能モードをWANモードに設定し、
前記PADOメッセージが前記所定の時間内に受信された際に前記DHCPオファメッセージが受信されなかった場合、
前記PADOメッセージに従って、前記PADOメッセージを送信するPPPoEサーバを相手にPPPoEセッションを確立し、前記ポートの前記機能モードをWANモードに設定する
ように構成されている、請求項16に記載のルーティングデバイス。
【請求項１８】
前記第2のプロセッサは、具体的には、
前記PADOメッセージが前記所定の時間内に受信された際に前記DHCPオファメッセージが受信されなかった場合、待ちつづけ、その後、前記DHCPオファメッセージが前記所定の時間内に受信された場合、前記DHCPオファメッセージに従って、前記DHCPオファメッセージの中のIPアドレスを前記ポートに割り当て、前記DHCPオファメッセージを送信するDHCPサーバを相手にDHCPセッションを確立し、前記ポートの前記機能モードをWANモードに設定し、前記DHCPオファメッセージが前記所定の時間内に受信されなかった場合、前記PADOメッセージに従って、前記PADOメッセージを送信するPPPoEサーバを相手にPPPoEセッションを確立し、前記ポートの前記機能モードをWANモードに設定し、
前記DHCPオファメッセージが前記所定の時間内に受信された際に前記PADOメッセージが受信されなかった場合、
前記DHCPオファメッセージに従って、前記DHCPオファメッセージの中の前記IPアドレスを前記ポートに割り当て、前記DHCPオファメッセージを送信するDHCPサーバを相手にDHCPセッションを確立し、前記ポートの前記機能モードをWANモードに設定する
ように構成されている、請求項16に記載のルーティングデバイス。
【請求項１９】
ポートと、
第1のプロセッサとを備え、前記第1のプロセッサは、前記ポートを介して第1の検出メッセージを開始することであって、前記第1の検出メッセージは、第1のネットワークサーバを検出するために使用される、第1の検出メッセージを開始すること、前記第1の検出メッセージに対する第1の応答メッセージが第1の所定の時間内に受信された場合、前記ポートの機能モードをWANモードに設定すること、前記第1の検出メッセージに対する第1の応答メッセージが第1の所定の時間内に受信されなかった場合、前記ポートを介して第2の検出メッセージを開始することであって、前記第2の検出メッセージは、第2のネットワークサーバを検出するために使用される、第2の検出メッセージを開始すること、前記第2の検出メッセージに対する第2の応答メッセージが第2の所定の時間内に受信された場合、前記ポートの前記機能モードをWANモードに設定すること、および前記第2の応答メッセージが前記第2の所定の時間内に受信されなかった場合、前記ポートの前記機能モードをLANモードに設定することを行うように構成されている、
ルーティングデバイス。
【請求項２０】
前記第1の検出メッセージは、DHCP発見メッセージであり、前記第1の応答メッセージは、DHCPオファメッセージであり、前記第2の検出メッセージは、ポイントツーポイントプロトコルオーバイーサネット（登録商標）能動的発見開始PADIメッセージであり、前記第2の応答メッセージは、ポイントツーポイントプロトコルオーバイーサネット（登録商標）能動的発見オファPADOメッセージである請求項19に記載のルーティングデバイス。
【請求項２１】
前記第1のプロセッサは、具体的には、
前記DHCPオファメッセージが前記第1の所定の時間内に受信された場合、前記DHCPオファメッセージの中のIPアドレスを前記ポートに割り当て、前記DHCPオファメッセージを送信するDHCPサーバを相手にDHCPセッションを確立し、前記ポートの前記機能モードをWANモードに設定し、
前記PADOメッセージが前記第2の所定の時間内に受信された場合、前記PADOメッセージを送信するPPPoEサーバを相手にPPPoEセッションを確立し、前記ポートの前記機能モードをWANモードに設定する
ように構成されている、請求項20に記載のルーティングデバイス。
【請求項２２】
ルーティングデバイスによって使用される読取り可能な記憶媒体を備えるコンピュータプログラム製品であって、プログラムコードが前記読取り可能な記憶媒体の中に格納され、前記プログラムコードは、
ポート介して第1の検出メッセージおよび第2の検出メッセージを同時に開始するための命令であって、前記第1の検出メッセージは、第1のネットワークサーバを検出するために使用され、前記第2の検出メッセージは、第2のネットワークサーバを検出するために使用される、命令と、
前記第1の検出メッセージに対する第1の応答メッセージおよび前記第2の検出メッセージに対する第2の応答メッセージのうちの少なくとも一方が所定の時間内に受信された場合、前記ポートの前記機能モードをワイドエリアネットワークWANモードに設定するための命令と、
前記第1の検出メッセージに対する第1の応答メッセージが所定の時間内に受信されず、前記第2の検出メッセージに対する第2の応答メッセージも所定の時間内に受信されなかった場合、前記ポートの前記機能モードをローカルエリアネットワークLANモードに設定するための命令と
を備える、コンピュータプログラム製品。
【請求項２３】
前記第1の検出メッセージは、動的ホスト構成プロトコルDHCP発見メッセージであり、前記第1の応答メッセージは、DHCPオファメッセージであり、前記第2の検出メッセージは、ポイントツーポイントプロトコルオーバイーサネット（登録商標）能動的発見開始PADIメッセージであり、前記第2の応答メッセージは、ポイントツーポイントプロトコルオーバイーサネット（登録商標）能動的発見オファPADOメッセージである請求項22に記載のコンピュータプログラム製品。
【請求項２４】
前記第1の検出メッセージに対する第1の応答メッセージおよび前記第2の検出メッセージに対する第2の応答メッセージのうちの少なくとも一方が所定の時間内に受信された場合、前記ポートの前記機能モードをワイドエリアネットワークWANモードに設定するための前記命令は、具体的には、
前記DHCPオファメッセージが前記所定の時間内に受信された際に前記PADOメッセージが受信されなかった場合、
前記DHCPオファメッセージに従って、前記DHCPオファメッセージの中のIPアドレスを前記ポートに割り当て、前記DHCPオファメッセージを送信するDHCPサーバを相手にDHCPセッションを確立し、前記ポートの前記機能モードをWANモードに設定するための命令であり、
前記PADOメッセージが前記所定の時間内に受信された際に前記DHCPオファメッセージが受信されなかった場合、
前記PADOメッセージに従って、前記PADOメッセージを送信するPPPoEサーバを相手にPPPoEセッションを確立し、前記ポートの前記機能モードをWANモードに設定するための命令である、
請求項23に記載のコンピュータプログラム製品。
【請求項２５】
前記第1の検出メッセージに対する第1の応答メッセージおよび前記第2の検出メッセージに対する第2の応答メッセージのうちの少なくとも一方が所定の時間内に受信された場合、前記ポートの前記機能モードをワイドエリアネットワークWANモードに設定するための前記命令は、具体的には、
前記PADOメッセージが前記所定の時間内に受信された際に前記DHCPオファメッセージが受信されなかった場合、待ちつづけるための命令、その後、前記DHCPオファメッセージが前記所定の時間内に受信された場合、前記DHCPオファメッセージに従って、前記DHCPオファメッセージの中のIPアドレスを前記ポートに割り当て、前記DHCPオファメッセージを送信するDHCPサーバを相手にDHCPセッションを確立し、前記ポートの前記機能モードをWANモードに設定するための命令、および前記DHCPオファメッセージが前記所定の時間内に受信されなかった場合、前記PADOメッセージに従って、前記PADOメッセージを送信するPPPoEサーバを相手にPPPoEセッションを確立し、前記ポートの前記機能モードをWANモードに設定するための命令であり、
前記DHCPオファメッセージが前記所定の時間内に受信された際に前記PADOメッセージが受信されなかった場合、
前記DHCPオファメッセージに従って、前記DHCPオファメッセージの中の前記IPアドレスを前記ポートに割り当て、前記DHCPオファメッセージを送信するDHCPサーバを相手にDHCPセッションを確立し、前記ポートの前記機能モードをWANモードに設定するための命令である、
請求項23に記載のコンピュータプログラム製品。
【請求項２６】
ルーティングデバイスによって使用される読取り可能な記憶媒体を含むコンピュータプログラム製品であって、プログラムコードが前記読取り可能な記憶媒体の中に格納され、前記プログラムコードは、
ポートを介して第1の検出メッセージを開始するための命令であって、前記第1の検出メッセージは、第1のネットワークサーバを検出するために使用される、命令と、
前記第1の検出メッセージに対する第1の応答メッセージが第1の所定の時間内に受信された場合、前記ポートの機能モードをワイドエリアネットワークWANモードに設定するための命令と、
前記第1の検出メッセージに対する第1の応答メッセージが前記第1の所定の時間内に受信されなかった場合、前記ポートを介して第2の検出メッセージを開始するための命令であって、前記第2の検出メッセージは、第2のネットワークサーバを検出するために使用される、命令と、
前記第2の検出メッセージに対する第2の応答メッセージが第2の所定の時間内に受信された場合、前記ポートの前記機能モードをWANモードに設定するための命令と、
前記第2の検出メッセージに対する第2の応答メッセージが第2の所定の時間内に受信されなかった場合、前記ポートの前記機能モードをローカルエリアネットワークLANモードに設定するための命令と
を備える、コンピュータプログラム製品。
【請求項２７】
前記第1の検出メッセージは、動的ホスト構成プロトコルDHCP発見メッセージであり、前記第1の応答メッセージは、DHCPオファメッセージであり、前記第2の検出メッセージは、ポイントツーポイントプロトコルオーバイーサネット（登録商標）能動的発見開始PADIメッセージであり、前記第2の応答メッセージは、ポイントツーポイントプロトコルオーバイーサネット（登録商標）能動的発見オファPADOメッセージである請求項26に記載のコンピュータプログラム製品。
【請求項２８】
前記DHCPオファメッセージが前記第1の所定の時間内に受信された場合、前記ポートの前記機能モードをWANモードに設定するための前記命令は、具体的には、
前記DHCPオファメッセージの中のIPアドレスを前記ポートに割り当て、前記DHCPオファメッセージを送信するDHCPサーバを相手にDHCPセッションを確立し、前記ポートの前記機能モードをWANモードに設定するための命令であり、
前記PADOメッセージが前記第2の所定の時間内に受信された場合、前記ポートの前記機能モードをWANモードに設定するための前記命令は、具体的には、
前記PADOメッセージを送信するPPPoEサーバを相手にPPPoEセッションを確立し、前記ポートの前記機能モードをWANモードに設定するための命令である、
請求項27に記載のコンピュータプログラム製品。
【発明の詳細な説明】
【技術分野】
【０００１】
本発明は、通信ネットワークアクセスの分野に属し、具体的には、ポート設定方法、ルーティングデバイス、およびコンピュータプログラム製品に属する。
【背景技術】
【０００２】
ルーティングデバイスは、通常、イーサネット（登録商標）ポートを含む。イーサネット（登録商標）ポートには、機能に基づき、ローカルエリアネットワーク(Local Area Network、LAN)ポートおよびワイドエリアネットワーク(Wide Area Network、WAN)ポートが含まれる。WANポートは、外部イーサネット（登録商標）にアクセスするために使用されるのに対して、LANポートは、アクセス端末装置に接続して、そのアクセス端末装置が、ルーティングデバイスを介して外部イーサネット（登録商標）にアクセスすることができるようにするために使用される。一部のルーティングデバイスにおいて、1つのポートがWANポートであり、他のイーサネット（登録商標）ポートがLANポートであり、これらのLANポートがそのWANポートから物理的に分離されている、複数のイーサネット（登録商標）ポートが存在する。WANポートとLANポートが、デバイスおよびネットワークを接続する際に混同された場合、デバイスは、正常に機能することができない。
【０００３】
技術の発展とともに、ルーティングデバイスの小さいサイズおよび携帯性を求める需要を満たすように、ルーティングデバイス上のイーサネット（登録商標）ポートの数は、減らされ、一部のルーティングデバイスにおいて、ユーザがアプリケーション管理インターフェースを介してイーサネット（登録商標）ポートの機能モードを設定するのに応じて、WANモードまたはLANモードで正常に機能することが可能である、1つだけのイーサネット（登録商標）ポートが存在する。しかし、ルーティングデバイスのアプリケーション管理インターフェースには、ユーザがイーサネット（登録商標）ポートの機能モードを設定することが要求され、したがって、その操作は、非常に不便である。
【発明の概要】
【発明が解決しようとする課題】
【０００４】
本発明の実施形態は、ポート設定方法、ルーティングデバイス、およびコンピュータプログラム製品を提供して、イーサネット（登録商標）ポートの機能モードを設定するのに不便な問題を解決するようにする。
【課題を解決するための手段】
【０００５】
第1の態様において、本発明は、ポート設定方法を提供し、この方法は、
ポートを介して第1の検出メッセージおよび第2の検出メッセージを同時に開始するステップであって、第1の検出メッセージは、第1のネットワークサーバを検出するために使用され、第2の検出メッセージは、第2のネットワークサーバを検出するために使用される、ステップと、
第1の検出メッセージに対する第1の応答メッセージおよび第2の検出メッセージに対する第2の応答メッセージのうちの少なくとも一方が所定の時間内に受信された場合、ポートの機能モードをワイドエリアネットワークWANモードに設定するステップと、
第1の検出メッセージに対する第1の応答メッセージが所定の時間内に受信されず、第2の検出メッセージに対する第2の応答メッセージも所定の時間内に受信されなかった場合、ポートの機能モードをローカルエリアネットワークLANモードに設定するステップと
を含む。
【０００６】
本発明の第1の態様の第1の可能な実施方法において、第1の検出メッセージは、動的ホスト構成プロトコルDHCP発見メッセージであり、第1の応答メッセージは、DHCPオファメッセージであり、第2の検出メッセージは、ポイントツーポイントプロトコルオーバイーサネット（登録商標）PADIメッセージであり、第2の応答メッセージは、PADOメッセージである。
【０００７】
本発明の第1の態様の第1の可能な実施方法と組み合わせて、第2の可能な実施方法において、第1の検出メッセージに対する第1の応答メッセージおよび第2の検出メッセージに対する第2の応答メッセージのうちの少なくとも一方が所定の時間内に受信された場合、ポートの機能モードをワイドエリアネットワークWANモードに設定するステップは、具体的には、
DHCPオファメッセージが所定の時間内に受信された際にPADOメッセージが受信されなかった場合、
DHCPオファメッセージに従って、DHCPオファメッセージの中のIPアドレスをポートに割り当て、DHCPオファメッセージを送信するDHCPサーバを相手にDHCPセッションを確立し、ポートの機能モードをWANモードに設定するステップであり、
PADOメッセージが所定の時間内に受信された際にDHCPオファメッセージが受信されなかった場合、
PADOメッセージに従って、PADOメッセージを送信するPPPoEサーバを相手にPPPoEセッションを確立し、ポートの機能モードをWANモードに設定するステップである。
【０００８】
本発明の第1の態様の第1の可能な実施方法と組み合わせて、第3の可能な実施方法において、第1の検出メッセージに対する第1の応答メッセージおよび第2の検出メッセージに対する第2の応答メッセージのうちの少なくとも一方が所定の時間内に受信された場合、ポートの機能モードをワイドエリアネットワークWANモードに設定するステップは、具体的には、
PADOメッセージが所定の時間内に受信された際にDHCPオファメッセージが受信されなかった場合、待ちつづけ、その後、DHCPオファメッセージが所定の時間内に受信された場合、DHCPオファメッセージに従って、DHCPオファメッセージの中のIPアドレスをポートに割り当て、DHCPオファメッセージを送信するDHCPサーバを相手にDHCPセッションを確立し、ポートの機能モードをWANモードに設定し、DHCPオファメッセージが所定の時間内に受信されなかった場合、PADOメッセージに従って、PADOメッセージを送信するPPPoEサーバを相手にPPPoEセッションを確立し、ポートの機能モードをWANモードに設定するステップであり、
DHCPオファメッセージが所定の時間内に受信された際にPADOメッセージが受信されなかった場合、
DHCPオファメッセージに従って、DHCPオファメッセージの中のIPアドレスをポートに割り当て、DHCPオファメッセージを送信するDHCPサーバを相手にDHCPセッションを確立し、ポートの機能モードをWANモードに設定するステップである。
【０００９】
第2の態様において、本発明は、別のポート設定方法を提供し、この方法は、
ポートを介して第1の検出メッセージを開始するステップであって、第1の検出メッセージは、第1のネットワークサーバを検出するために使用される、ステップと、
第1の検出メッセージに対する第1の応答メッセージが第1の所定の時間内に受信された場合、ポートの機能モードをワイドエリアネットワークWANモードに設定するステップと、
第1の検出メッセージに対する第1の応答メッセージが第1の所定の時間内に受信されなかった場合、ポートを介して第2の検出メッセージを開始するステップであって、第2の検出メッセージは、第2のネットワークサーバを検出するために使用される、ステップと、
第2の検出メッセージに対する第2の応答メッセージが第2の所定の時間内に受信された場合、ポートの機能モードをWANモードに設定するステップと、
第2の検出メッセージに対する第2の応答メッセージが第2の所定の時間内に受信されなかった場合、ポートの機能モードをローカルエリアネットワークLANモードに設定するステップと
を含む。
【００１０】
本発明の第2の態様の第1の可能な実施方法において、第1の検出メッセージは、動的ホスト構成プロトコルDHCP発見メッセージであり、第1の応答メッセージは、DHCPオファメッセージであり、第2の検出メッセージは、ポイントツーポイントプロトコルオーバイーサネット（登録商標）PADIメッセージであり、第2の応答メッセージは、PADOメッセージである。
【００１１】
本発明の第2の態様の第1の可能な実施方法と組み合わせて、第2の可能な実施方法において、DHCPオファメッセージが第1の所定の時間内に受信された場合、ポートの機能モードをWANモードに設定するステップは、具体的には、
DHCPオファメッセージの中のIPアドレスをポートに割り当て、DHCPオファメッセージを送信するDHCPサーバを相手にDHCPセッションを確立し、ポートの機能モードをWANモードに設定するステップであり、
PADOメッセージが第2の所定の時間内に受信された場合、ポートの機能モードをWANモードに設定するステップは、具体的には、
PADOメッセージを送信するPPPoEサーバを相手にPPPoEセッションを確立し、ポートの機能モードをWANモードに設定するステップである。
【００１２】
第3の態様において、本発明は、ポートを含むルーティングデバイスを提供し、このルーティングデバイスは、以下の構造、すなわち、
ポートを介して第1の検出メッセージおよび第2の検出メッセージを同時に開始するように構成された第3の検出ユニットであって、第1の検出メッセージは、第1のネットワークサーバを検出するために使用され、第2の検出メッセージは、第2のネットワークサーバを検出するために使用される、第3の検出ユニットと、
第1の検出メッセージに対する第1の応答メッセージおよび第2の検出メッセージに対する第2の応答メッセージのうちの少なくとも一方が所定の時間内に受信された場合、ポートの機能モードをワイドエリアネットワークWANモードに設定するように構成された第2のWANモード設定ユニットと、
第1の検出メッセージに対する第1の応答メッセージが所定の時間内に受信されず、第2の検出メッセージに対する第2の応答メッセージも所定の時間内に受信されなかった場合、ポートの機能モードをローカルエリアネットワークLANモードに設定するように構成された第2のLANモード設定ユニットと
をさらに含む。
【００１３】
本発明の第3の態様の第1の可能な実施方法において、第1の検出メッセージは、動的ホスト構成プロトコルDHCP発見メッセージであり、第1の応答メッセージは、DHCPオファメッセージであり、第2の検出メッセージは、ポイントツーポイントプロトコルオーバイーサネット（登録商標）PADIメッセージであり、第2の応答メッセージは、PADOメッセージである。
【００１４】
本発明の第3の態様の第1の可能な実施方法と組み合わせて、第2の可能な実施方法において、第2のWANモード設定ユニットは、具体的には、
DHCPオファメッセージが所定の時間内に受信された際にPADOメッセージが受信されなかった場合、
DHCPオファメッセージに従って、DHCPオファメッセージの中のIPアドレスをポートに割り当て、DHCPオファメッセージを送信するDHCPサーバを相手にDHCPセッションを確立し、ポートの機能モードをWANモードに設定し、
PADOメッセージが所定の時間内に受信された際にDHCPオファメッセージが受信されなかった場合、
PADOメッセージに従って、PADOメッセージを送信するPPPoEサーバを相手にPPPoEセッションを確立し、ポートの機能モードをWANモードに設定する
ように構成されている。
【００１５】
本発明の第3の態様の第1の可能な実施方法と組み合わせて、第3の可能な実施方法において、第2のWANモード設定ユニットは、具体的には、
PADOメッセージが所定の時間内に受信された際にDHCPオファメッセージが受信されなかった場合、待ちつづけ、その後、DHCPオファメッセージが所定の時間内に受信された場合、DHCPオファメッセージに従って、DHCPオファメッセージの中のIPアドレスをポートに割り当て、DHCPオファメッセージを送信するDHCPサーバを相手にDHCPセッションを確立し、ポートの機能モードをWANモードに設定し、DHCPオファメッセージが所定の時間内に受信されなかった場合、PADOメッセージに従って、PADOメッセージを送信するPPPoEサーバを相手にPPPoEセッションを確立し、ポートの機能モードをWANモードに設定し、
DHCPオファメッセージが所定の時間内に受信された際にPADOメッセージが受信されなかった場合、
DHCPオファメッセージに従って、DHCPオファメッセージの中のIPアドレスをポートに割り当て、DHCPオファメッセージを送信するDHCPサーバを相手にDHCPセッションを確立し、ポートの機能モードをWANモードに設定する
ように構成されている。
【００１６】
第4の態様において、本発明は、ポートを含む別のルーティングデバイスを提供し、このルーティングデバイスは、
ポートを介して第1の検出メッセージを開始するように構成された第1の検出ユニットであって、第1の検出メッセージは、第1のネットワークサーバを検出するために使用される、第1の検出ユニットと、
第1の検出メッセージに対する第1の応答メッセージが第1の所定の時間内に受信された場合、ポートの機能モードをワイドエリアネットワークWANモードに設定するように構成された第1のWANモード設定ユニットと、
第1の検出メッセージに対する第1の応答メッセージが第1の所定の時間内に受信されなかった場合、ポートを介して第2の検出メッセージを開始するように構成された第2の検出ユニットであって、第2の検出メッセージは、第2のネットワークサーバを検出するために使用される、第2の検出ユニットとをさらに含み、
第1のWANモード設定ユニットは、第2の検出メッセージに対する第2の応答メッセージが第2の所定の時間内に受信された場合、ポートの機能モードをWANモードに設定するようにさらに構成され、
ルーティングデバイスは、第2の検出メッセージに対する第2の応答メッセージが第2の所定の時間内に受信されなかった場合、ポートの機能モードをローカルエリアネットワークLANモードに設定するように構成された第1のLANモード設定ユニットをさらに含む。
【００１７】
本発明の第4の態様の第1の可能な実施方法において、第1の検出ユニットは、動的ホスト構成プロトコルDHCPクライアントユニットであり、第1の検出メッセージは、DHCP発見メッセージであり、第1の応答メッセージは、DHCPオファメッセージであり、第2の検出ユニットは、ポイントツーポイントプロトコルオーバイーサネット（登録商標）PPPoEクライアントユニットであり、第2の検出メッセージは、PADIメッセージであり、第2の応答メッセージは、PADOメッセージである。
【００１８】
本発明の第4の態様の第1の可能な実施方法と組み合わせて、第2の可能な実施方法において、第1のWANモード設定ユニットは、具体的には、
DHCPオファメッセージが第1の所定の時間内に受信された場合、DHCPオファメッセージの中のIPアドレスをポートに割り当て、DHCPオファメッセージを送信するDHCPサーバを相手にDHCPセッションを確立し、ポートの機能モードをWANモードに設定し、
PADOメッセージが第2の所定の時間内に受信された場合、PADOメッセージを送信するPPPoEサーバを相手にPPPoEセッションを確立し、ポートの機能モードをWANモードに設定する
ように構成されている。
【００１９】
第5の態様において、本発明は、さらに別のルーティングデバイスを提供し、このルーティングデバイスは、
ポートと、
第2のプロセッサとを含み、第2のプロセッサは、ポートを介して第1の検出メッセージおよび第2の検出メッセージを同時に開始することであって、第1の検出メッセージは、第1のネットワークサーバを検出するために使用され、第2の検出メッセージは、第2のネットワークサーバを検出するために使用される、開始すること、第1の検出メッセージに対する第1の応答メッセージおよび第2の検出メッセージに対する第2の応答メッセージのうちの少なくとも一方が所定の時間内に受信された場合、ポートの機能モードをWANモードに設定すること、ならびに第1の検出メッセージに対する第1の応答メッセージが所定の時間内に受信されず、第2の検出メッセージに対する第2の応答メッセージも所定の時間内に受信されなかった場合、ポートの機能モードをLANモードに設定することを行うように構成されている。
【００２０】
本発明の第5の態様の第1の可能な実施方法において、第1の検出メッセージは、動的ホスト構成プロトコルDHCP発見メッセージであり、第1の応答メッセージは、DHCPオファメッセージであり、第2の検出メッセージは、ポイントツーポイントプロトコルオーバイーサネット（登録商標）PADIメッセージであり、第2の応答メッセージは、PADOメッセージである。
【００２１】
本発明の第5の態様の第1の可能な実施方法と組み合わせて、第2の可能な実施方法において、第2のプロセッサは、具体的には、
DHCPオファメッセージが所定の時間内に受信された際にPADOメッセージが受信されなかった場合、
DHCPオファメッセージに従って、DHCPオファメッセージの中のIPアドレスをポートに割り当て、DHCPオファメッセージを送信するDHCPサーバを相手にDHCPセッションを確立し、ポートの機能モードをWANモードに設定し、
PADOメッセージが所定の時間内に受信された際にDHCPオファメッセージが受信されなかった場合、
PADOメッセージに従って、PADOメッセージを送信するPPPoEサーバを相手にPPPoEセッションを確立し、ポートの機能モードをWANモードに設定する
ように構成されている。
【００２２】
本発明の第5の態様の第1の可能な実施方法と組み合わせて、第3の可能な実施方法において、第2のプロセッサは、具体的には、
PADOメッセージが所定の時間内に受信された際にDHCPオファメッセージが受信されなかった場合、待ちつづけ、その後、DHCPオファメッセージが所定の時間内に受信された場合、DHCPオファメッセージに従って、DHCPオファメッセージの中のIPアドレスをポートに割り当て、DHCPオファメッセージを送信するDHCPサーバを相手にDHCPセッションを確立し、ポートの機能モードをWANモードに設定し、DHCPオファメッセージが所定の時間内に受信されなかった場合、PADOメッセージに従って、PADOメッセージを送信するPPPoEサーバを相手にPPPoEセッションを確立し、ポートの機能モードをWANモードに設定し、
DHCPオファメッセージが所定の時間内に受信された際にPADOメッセージが受信されなかった場合、
DHCPオファメッセージに従って、DHCPオファメッセージの中のIPアドレスをポートに割り当て、DHCPオファメッセージを送信するDHCPサーバを相手にDHCPセッションを確立し、ポートの機能モードをWANモードに設定する
ように構成されている。
【００２３】
第6の態様において、本発明は、さらに別のルーティングデバイスを提供し、このルーティングデバイスは、
ポートと、
第1のプロセッサとを含み、第1のプロセッサは、ポートを介して第1の検出メッセージを開始することであって、第1の検出メッセージは、第1のネットワークサーバを検出するために使用される、第1の検出メッセージを開始すること、第1の検出メッセージに対する第1の応答メッセージが第1の所定の時間内に受信された場合、ポートの機能モードをWANモードに設定すること、第1の検出メッセージに対する第1の応答メッセージが第1の所定の時間内に受信されなかった場合、ポートを介して第2の検出メッセージを開始することであって、第2の検出メッセージは、第2のネットワークサーバを検出するために使用される、第2の検出メッセージを開始すること、第2の検出メッセージに対する第2の応答メッセージが第2の所定の時間内に受信された場合、ポートの機能モードをWANモードに設定すること、および第2の応答メッセージが第2の所定の時間内に受信されなかった場合、ポートの機能モードをLANモードに設定することを行うように構成されている。
【００２４】
本発明の第6の態様の第1の可能な実施方法において、第1の検出メッセージは、DHCP発見メッセージであり、第1の応答メッセージは、DHCPオファメッセージであり、第2の検出メッセージは、PADIメッセージであり、第2の応答メッセージは、PADOメッセージである。
【００２５】
本発明の第6の態様の第1の可能な実施方法と組み合わせて、第2の可能な実施方法において、第1のプロセッサは、具体的には、
DHCPオファメッセージが第1の所定の時間内に受信された場合、DHCPオファメッセージの中のIPアドレスをポートに割り当て、DHCPオファメッセージを送信するDHCPサーバを相手にDHCPセッションを確立し、ポートの機能モードをWANモードに設定し、
PADOメッセージが第2の所定の時間内に受信された場合、PADOメッセージを送信するPPPoEサーバを相手にPPPoEセッションを確立し、ポートの機能モードをWANモードに設定する
ように構成されている。
【００２６】
第7の態様において、本発明は、ルーティングデバイスによって使用される読取り可能な記憶媒体を含むコンピュータプログラム製品を提供し、プログラムコードが読取り可能な記憶媒体の中に格納され、プログラムコードは、
ポートを介して第1の検出メッセージおよび第2の検出メッセージを同時に開始するための命令であって、第1の検出メッセージは、第1のネットワークサーバを検出するために使用され、第2の検出メッセージは、第2のネットワークサーバを検出するために使用される、命令と、
第1の検出メッセージに対する第1の応答メッセージおよび第2の検出メッセージに対する第2の応答メッセージのうちの少なくとも一方が所定の時間内に受信された場合、ポートの機能モードをワイドエリアネットワークWANモードに設定するための命令と、
第1の検出メッセージに対する第1の応答メッセージが所定の時間内に受信されず、第2の検出メッセージに対する第2の応答メッセージも所定の時間内に受信されなかった場合、ポートの機能モードをローカルエリアネットワークLANモードに設定するための命令と
を含む。
【００２７】
本発明の第7の態様の第1の可能な実施方法において、第1の検出メッセージは、動的ホスト構成プロトコルDHCP発見メッセージであり、第1の応答メッセージは、DHCPオファメッセージであり、第2の検出メッセージは、ポイントツーポイントプロトコルオーバイーサネット（登録商標）PADIメッセージであり、第2の応答メッセージは、PADOメッセージである。
【００２８】
本発明の第7の態様の第1の可能な実施方法と組み合わせて、第2の可能な実施方法において、第1の検出メッセージに対する第1の応答メッセージおよび第2の検出メッセージに対する第2の応答メッセージのうちの少なくとも一方が所定の時間内に受信された場合、ポートの機能モードをワイドエリアネットワークWANモードに設定するための命令は、具体的には、
DHCPオファメッセージが所定の時間内に受信された際にPADOメッセージが受信されなかった場合、
DHCPオファメッセージに従って、DHCPオファメッセージの中のIPアドレスをポートに割り当て、DHCPオファメッセージを送信するDHCPサーバを相手にDHCPセッションを確立し、ポートの機能モードをWANモードに設定するための命令であり、
PADOメッセージが所定の時間内に受信された際にDHCPオファメッセージが受信されなかった場合、
PADOメッセージに従って、PADOメッセージを送信するPPPoEサーバを相手にPPPoEセッションを確立し、ポートの機能モードをWANモードに設定するための命令である。
【００２９】
本発明の第7の態様の第1の可能な実施方法と組み合わせて、第3の可能な実施方法において、第1の検出メッセージに対する第1の応答メッセージおよび第2の検出メッセージに対する第2の応答メッセージのうちの少なくとも一方が所定の時間内に受信された場合、ポートの機能モードをワイドエリアネットワークWANモードに設定するための命令は、具体的には、
PADOメッセージが所定の時間内に受信された際にDHCPオファメッセージが受信されなかった場合、待ちつづけるための命令、その後、DHCPオファメッセージが所定の時間内に受信された場合、DHCPオファメッセージに従って、DHCPオファメッセージの中のIPアドレスをポートに割り当て、DHCPオファメッセージを送信するDHCPサーバを相手にDHCPセッションを確立し、ポートの機能モードをWANモードに設定するための命令、DHCPオファメッセージが所定の時間内に受信されなかった場合、PADOメッセージに従って、PADOメッセージを送信するPPPoEサーバを相手にPPPoEセッションを確立し、ポートの機能モードをWANモードに設定するための命令であり、
DHCPオファメッセージが所定の時間内に受信された際にPADOメッセージが受信されなかった場合、
DHCPオファメッセージに従って、DHCPオファメッセージの中のIPアドレスをポートに割り当て、DHCPオファメッセージを送信するDHCPサーバを相手にDHCPセッションを確立し、ポートの機能モードをWANモードに設定するための命令である。
【００３０】
第8の態様において、本発明は、ルーティングデバイスによって使用される読取り可能な記憶媒体を含むさらに別のコンピュータプログラム製品を提供し、プログラムコードが読取り可能な記憶媒体の中に格納され、プログラムコードは、
ポートを介して第1の検出メッセージを開始するための命令であって、第1の検出メッセージは、第1のネットワークサーバを検出するために使用される、命令と、
第1の検出メッセージに対する第1の応答メッセージが第1の所定の時間内に受信された場合、ポートの機能モードをワイドエリアネットワークWANモードに設定するための命令と、
第1の検出メッセージに対する第1の応答メッセージが第1の所定の時間内に受信されなかった場合、ポートを介して第2の検出メッセージを開始するための命令であって、第2の検出メッセージは、第2のネットワークサーバを検出するために使用される、命令と、
第2の検出メッセージに対する第2の応答メッセージが第2の所定の時間内に受信された場合、ポートの機能モードをWANモードに設定するための命令と、
第2の検出メッセージに対する第2の応答メッセージが第2の所定の時間内に受信されなかった場合、ポートの機能モードをローカルエリアネットワークLANモードに設定するための命令と
を含む。
【００３１】
本発明の第8の態様の第1の可能な実施方法において、第1の検出メッセージは、動的ホスト構成プロトコルDHCP発見メッセージであり、第1の応答メッセージは、DHCPオファメッセージであり、第2の検出メッセージは、ポイントツーポイントプロトコルオーバイーサネット（登録商標）PADIメッセージであり、第2の応答メッセージは、PADOメッセージである。
【００３２】
本発明の第8の態様の第1の可能な実施方法と組み合わせて、第2の可能な実施方法において、DHCPオファメッセージが第1の所定の時間内に受信された場合、ポートの機能モードをWANモードに設定するための命令は、具体的には、
DHCPオファメッセージの中のIPアドレスをポートに割り当て、DHCPオファメッセージを送信するDHCPサーバを相手にDHCPセッションを確立し、ポートの機能モードをWANモードに設定するための命令であり、
PADOメッセージが第2の所定の時間内に受信された場合、ポートの機能モードをWANモードに設定するための命令は、具体的には、
PADOメッセージを送信するPPPoEサーバを相手にPPPoEセッションを確立し、ポートの機能モードをWANモードに設定するための命令である。
【００３３】
本発明の実施形態の実施を通じて、ルーティングデバイスは、検出メッセージを介して、ポートの他方の端部がネットワークサーバに接続されているかどうかを検出すること、これに相応して、ポートの機能モードをWANモードまたはLANモードに自動的に設定することができ、正常に機能し、ユーザがこの設定を実行することを要求されないため、ポートの機能モードを設定するプロセスが簡略化される。
【図面の簡単な説明】
【００３４】
【図１】本発明の或る実施形態において開示されるルーティングシステムの概略図である。
【図２】本発明の或る実施形態において開示される別のルーティングシステムの概略図である。
【図３】本発明の或る実施形態において開示されるポート設定方法の概略流れ図である。
【図４】本発明の或る実施形態において開示される別のポート設定方法の概略流れ図である。
【図５】本発明の或る実施形態において開示される別のポート設定方法の概略流れ図である。
【図６】本発明の或る実施形態において開示されるルーティングデバイスのアプリケーションシナリオの概略図である。
【図７】本発明の或る実施形態において開示されるルーティングデバイスの概略構造図である。
【図８】本発明の或る実施形態において開示される別のルーティングデバイスの概略構造図である。
【図９】本発明の或る実施形態において開示される別のルーティングデバイスの概略構造図である。
【図１０】本発明の或る実施形態において開示される別のルーティングデバイスの概略構造図である。
【図１１】本発明の或る実施形態において開示される別のルーティングデバイスの概略構造図である。
【図１２】本発明の或る実施形態において開示される別のルーティングデバイスの概略構造図である。
【発明を実施するための形態】
【００３５】
本発明の実施形態の目的、技術的解決策、および利点をより分かりやすくするのに、以下に、添付の図面を参照して本発明の特定の実施形態を長々とさらに説明する。明白に、説明される実施形態は、本発明の実施形態のすべてではなく、一部分である。独創的な取組みなしに本発明の実施形態に基づいて当業者によって得られる他のすべての実施形態は、本発明の保護範囲に含まれるものとする。
【００３６】
最初に、本発明の実施形態において説明されるルーティングデバイスには、有線ルータ、ワイヤレスルータ、モバイルワイヤレスフィデリティ(Wireless Fidelity、Wi-Fi)デバイスなどの端末デバイスが含まれるが、これらに限定されないことに留意されたい。
【００３７】
本発明の実施形態におけるルーティングデバイスは、ネットワークポートを含む。このポートは、WANポートの機能を実施するようにWANモードに設定可能であり、LANポートの機能を実施するようにLANモードに設定されることも可能である。例えば、このネットワークポートは、RJ45ポートであることが可能であり、あるいはWANアクセスまたはLANアクセスを実施することができる他のポートであることも可能である。
【００３８】
具体的には、ルーティングデバイスのポートがWANモードで機能するシステムアーキテクチャが、図1に示される。一態様において、ルーティングデバイスは、RJ45ポートをWANポートとして使用するとともに、RJ45ポートを介してポイントツーポイントプロトコルオーバイーサネット（登録商標）(Point-to-Point Protocol over Ethernet（登録商標）、PPPoE)サーバに接続され、PPPoEサーバを介してインターネットにアクセスし、アップリンクデータチャネルを確立する。別の態様において、Wi-FiがLANポートとして使用されて、モバイル電話機やタブレットコンピュータなどの他のアクセスデバイスにダウンリンクデータチャネルを提供して、ルーティング機能を実施するようにする。
【００３９】
ルーティングデバイスのポートがLANモードで機能するシステムアーキテクチャが、図2に示される。一態様において、ルーティングデバイスは、RJ45ポートをLANポートとして使用するとともに、RJ45ポートを介してPCデバイスに接続され、またはWi-Fiを介して他のアクセスデバイスに接続されることも可能である。別の態様において、ルーティングデバイスは、USBを介してデータカードに接続されるとともに、データカードを介してインターネットに接続されて、RJ45ポートを介して接続されたPCデバイスおよび他のアクセスデバイスがインターネットにアクセスすることを可能にするアップリンクデータチャネルを確立するようにする。
【００４０】
図3を参照すると、本発明の或る実施形態は、以下のステップを含むポート設定方法を提供する。
【００４１】
ステップ101:ポートを介して検出メッセージを開始する。
【００４２】
検出メッセージは、ネットワークサーバを検出するために使用される。
【００４３】
ステップ102:検出メッセージに対する応答メッセージが所定の時間内に受信された場合、ポートの機能モードをWANモードに設定する。
【００４４】
ステップ103:検出メッセージに対する応答メッセージが所定の時間内に受信されなかった場合、ポートの機能モードをLANモードに設定する。
【００４５】
具体的には、ルーティングデバイスのポートが、ケーブルを介して、または他の方式でデバイスもしくはネットワークに接続されると、またはルーティングデバイスに電源が投入される、もしくはルーティングデバイスが再起動されると、ステップ101がトリガされる。ルーティングデバイスが、ポートを介して検出メッセージを開始し、この検出メッセージが、ルーティングデバイスがワイドエリアイーサネット（登録商標）にアクセスするようにポートの他方の端部がネットワークサーバに接続されているかどうかを検出するために使用される。所定の時間内に、ルーティングデバイスは、検出メッセージを複数回、送信して、パケットロス、望ましくないネットワーク条件などに起因する検出メッセージを送信することの失敗を防止するようにすることができる。製造業者によってルーティングデバイス内であらかじめ設定可能であり、またはルーティングデバイスの後の使用中に設定されることも可能である、この所定の時間は、ルーティングデバイスが検出メッセージを開始すると、始まる。
【００４６】
ポートに接続されたデバイスまたはネットワークがルーティングデバイスに応答メッセージを戻し、ルーティングデバイスが所定の時間(例えば、15秒)内にこの応答メッセージを受信した場合、このルーティングデバイスに接続されたデバイスは、ネットワークサーバであり、つまり、このルーティングデバイスに接続されたネットワーク内にネットワークサーバが存在し、したがって、このルーティングデバイスは、そのネットワークサーバを介してワイドエリアネットワークにアクセスすることができると見なすことが可能である。ルーティングデバイスは、その応答メッセージに従って、ポートの機能モードをWANモードに設定して、ルーティングデバイスが、WANモードで機能するポートを介してワイドエリアイーサネット（登録商標）にアクセスすることができるようにする。具体的には、ポートの機能モードが設定される際、ポートの現在の機能モードがWANモードである場合、ポートの機能モードは、変わらないままであり、ポートの現在の機能モードがLANモードである場合、ポートの機能モードは、WANモードに再び設定される。
【００４７】
ルーティングデバイスが所定の時間内に検出メッセージに対する応答メッセージを受信しなかった場合、ルーティングデバイスがワイドエリアイーサネット（登録商標）にアクセスするネットワークサーバは、ポートの他方の端部に存在せず、ポートに接続されたデバイスは、PCやハブなどの、ネットワークにアクセスしていない別のアクセスデバイスであると見なすことが可能である。ルーティングデバイスは、ポートの機能モードをLANモードに設定し、USBポート、ワイヤレスネットワークポート、または他の物理ポートなどの他のポートを介してワイドエリアイーサネット（登録商標）にアクセスすることができ、したがって、他のアクセスデバイスは、LANモードで機能するポートを介してワイドエリアイーサネット（登録商標）にアクセスすることができる。具体的には、ポートの機能モードが設定される際、ポートの現在の機能モードがLANモードである場合、ポートの機能モードは、変わらないままであり、ポートの現在の機能モードがWANモードである場合、ポートの機能モードは、LANモードに再び設定される。
【００４８】
オプションとして、検出メッセージは、動的ホスト構成プロトコル(Dynamic host configuration protocol、DHCP)発見メッセージであり、この検出メッセージに対する応答メッセージは、DHCPオファメッセージである。DHCP発見メッセージが開始された後、ルーティングデバイスが所定の時間内にDHCPオファメッセージを受信した場合、ポートの他方の端部がDHCPサーバに接続されていると見なすことが可能であり、このDHCPサーバは、ローカルエリアネットワークアクセスデバイスに動的IPアドレスを割り当てて、そのアクセスデバイスがワイドエリアイーサネット（登録商標）にアクセスすることができるようにするために主に使用される。このDHCPサーバは、DHCPサーバの機能を有する別のルーティングデバイスに組み込まれることが可能である。
【００４９】
本発明のこの実施形態において、ルーティングデバイスは、DHCP発見メッセージを介して、ポートの他方の端部にDHCPサーバが存在するかどうかを検出することができ、DHCPオファメッセージが所定の時間内に受信された場合、ポートの他方の端部がDHCPサーバに接続されていると見なされ、ポートの機能モードは、ルーティングデバイスが、WANモードで機能するポートを介してワイドエリアイーサネット（登録商標）にアクセスすることができるようにWANモードに設定される。DHCPオファメッセージが所定の時間内に受信されなかった場合、ポートの他方の端部はDHCPサーバに接続されていないと見なされ、ポートの機能モードは、LANモードに設定される。前述の解決策によって、ルーティングデバイスは、ポートの機能モードをWANモードまたはLANモードに自動的に設定することができるとともに、正常に機能し、ユーザには設定を実行することが要求されないため、ポートの機能モードを設定するプロセスが簡略化される。
【００５０】
オプションとして、検出メッセージは、ポイントツーポイントプロトコルオーバイーサネット（登録商標）能動的発見開始(PPPoE Active Discovery Initiation、PADI)メッセージであり、この検出メッセージに対する応答メッセージは、ポイントツーポイントプロトコルオーバイーサネット（登録商標）能動的発見開始ポイントツーポイントプロトコルオーバイーサネット（登録商標）能動的発見オファ(PPPoE Active Discovery Offer、PADO)メッセージである。PADIメッセージが開始された後、ルーティングデバイスが所定の時間内にPADOメッセージを受信した場合、ポートの他方の端部は、PPPoEサーバに接続されており、PPPoEサーバは、ローカルエリアネットワークアクセスデバイスのダイヤルアップアクセスを実施するように、ローカルエリアネットワークアクセスデバイスのPPPoEダイヤルアップ要求を主に受信すると見なすことが可能である。また、このPPPoEサーバは、PPPoEサーバの機能を有する1つのモデムに組み込まれることも可能であり、またはPPPoEサーバの機能を有する別のルーティングデバイスに組み込まれることも可能である。PADOメッセージを受信した後、ルーティングデバイスは、PPPoEダイヤルアップアクセスプロセスを完了して、ワイドエリアネットワークにアクセスするように、PPPoEサーバを相手に一連の情報交換を実行することができる。
【００５１】
本発明のこの実施形態において、ルーティングデバイスは、PADIメッセージを介して、PPPoEサーバがポートの他方の端部に存在するかどうかを検出することができ、PADOメッセージが所定の時間内に受信された場合、ポートの他方の端部は、PPPoEサーバに接続されていると見なすことが可能であり、ポートの機能モードは、ルーティングデバイスが、WANモードで機能するポートを介してワイドエリアイーサネット（登録商標）にアクセスすることができるように、WANモードに設定される。PADOメッセージが所定の時間内に受信されなかった場合、ポートの他方の端部は、PPPoEサーバに接続されていないと見なすことが可能であり、ポートの機能モードは、LANモードに設定される。前述の解決策によって、ルーティングデバイスは、ポートの機能モードをWANモードまたはLANモードに自動的に設定することができるとともに、正常に機能し、ユーザには設定を実行することが要求されないため、ポートの機能モードを設定するプロセスが簡略化される。
【００５２】
また、本発明のすべての実施形態において、ポートを設定することは、物理的構造上の設定であることが可能であり、またはロジック上、パラメータ上、またはソフトウェア上の設定を含むことも可能であることにも留意されたい。WANモードおよびLANモードにおけるポートの機能状態、およびWANモードとLANモードの間で切り替える特定のプロセスが、以下に説明される。
【００５３】
ポートがWANモードで機能する際、ルーティングデバイス内のDHCPクライアントモジュール(またはPPPoEクライアントモジュール)がそれぞれ、ポートの他方の端部に接続されたDHCPサーバ(またはPPPoEサーバ)からIPアドレスを獲得し、このIPアドレスを仮想インターフェースに構成する。同時に、ルーティングデバイスは、ポートを介してゲートウェイアドレスを獲得し、このゲートウェイアドレスを、ルーティングデバイスに関するデフォルトの経路として追加して、ルーティングデバイスが、このIPアドレスおよびこのゲートウェイアドレスを介してDHCPサーバにアクセスすることができるようにするとともに、DHCPサーバを相手にDHCPセッションを確立し、またはPPPoEサーバを介してPPPoEセッションを確立して、WANにアクセスするようにする。
【００５４】
ポートがLANモードで機能する際、ポートは、1つの別個のインターフェースとして機能することができ、またはブリッジの1つのポートとして機能することもできる。この場合、ルーティングデバイスは、ルーティングデバイス自体によってあらかじめ構成されたゲートウェイアドレス(例えば、192.168.8.1、255.255.255.0)を獲得し、このゲートウェイアドレスをポートに、またはブリッジに割り当てる。この場合、LAN側のアクセスデバイスは、このゲートウェイアドレスを介してポートおよびルーティングデバイスにアクセスすることができる。
【００５５】
ポートがWANモードからLANモードに切り替えられる際、WANモードにおけるポートの機能状態が最初にクリアされる。WANポートとして機能しているポートのIPアドレスがクリアされ、ルーティングデバイスの中に保存されているポートに基づくデフォルトの経路がクリアされる。ルーティングデバイス内で、DHCPCモジュールに対応するネットワークプロセス、またはPPPCモジュールに対応するセッションプロセスが停止する。WAN状態がクリアされた後、ルーティングデバイスは、ルーティングデバイス自体によってあらかじめ構成されたゲートウェイアドレスを獲得し、このゲートウェイアドレスをポート上、またはブリッジ上に構成して、LAN状態の構成を完了するようにする。この場合、LAN側のアクセスデバイスは、このゲートウェイアドレスを介してポートおよびルーティングデバイスにアクセスすることができる。
【００５６】
ポートがLANモードからWANモードに切り替えられる際、LANモードにおけるポートの機能状態が最初にクリアされる。ポートに割り当てられたIPアドレスがクリアされ、またはポートがブリッジに追加されていた場合、ポートがブリッジから外される。さらに、DHCPサーバまたはPPPoEサーバから獲得されたIPアドレスがポートに割り当てられ、獲得されたゲートウェイアドレスが、ルーティングデバイスのデフォルトの経路として割り当てられる。
【００５７】
図4を参照すると、本発明の或る実施形態は、以下のステップを含む別のポート設定方法をさらに提供する。
【００５８】
ステップ201:ポートを介して第1の検出メッセージを開始する。
【００５９】
ステップ202:第1の検出メッセージに対する第1の応答メッセージが第1の所定の時間内に受信された場合、ポートの機能モードをWANモードに設定する。
【００６０】
ステップ203:第1の検出メッセージに対する第1の応答メッセージが第1の所定の時間内に受信されなかった場合、ポートを介して第2の検出メッセージを開始する。
【００６１】
ステップ204:第2の検出メッセージに対する第2の応答メッセージが第2の所定の時間内に受信された場合、ポートの機能モードをWANモードに設定する。
【００６２】
ステップ205:第2の検出メッセージに対する第2の応答メッセージが第2の所定の時間内に受信されなかった場合、ポートの機能モードをLANモードに設定する。
【００６３】
具体的には、ルーティングデバイスのポートが、ケーブルを介して、または他の方式でデバイスもしくはネットワークに接続されると、またはルーティングデバイスに電源が投入される、もしくはルーティングデバイスが再起動されると、ステップ201がトリガされる。
【００６４】
オプションとして、第1の検出メッセージは、DHCP発見メッセージであることが可能であり、第1の応答メッセージは、DHCPオファメッセージであることが可能であり、第2の検出メッセージは、PADIメッセージであることが可能であり、第2の応答メッセージは、PADOメッセージであることが可能である。オプションとして、ルーティングデバイスは、第1の検出メッセージおよび第2の検出メッセージを複数回、送信して、パケットロス、望ましくないネットワーク条件などに起因する第1の検出メッセージおよび第2の検出メッセージを送信することの失敗を防止するようにすることができる。この実施形態において、ルーティングデバイスは、最初に、ポートを介してDHCP発見メッセージを開始して、ルーティングデバイスのポートの他方の端部がDHCPサーバに接続されているかどうかを検出するようにし、DHCPオファメッセージが第1の所定の時間(15秒または10秒などの)内に受信された場合、このことは、ポートの他方の端部がDHCPサーバに接続されていることを示し、このDHCPサーバは、DHCPサーバの機能を有する別のルーティングデバイスに組み込まれることが可能である。DHCPオファメッセージが第1の所定の時間内に受信されなかった場合、ルーティングデバイスは、ルーティングデバイスのポートの他方の端部がPPPoEサーバに接続されているかどうかを検出するPADIメッセージを開始し、PADOメッセージが第2の所定の時間(15秒または10秒などの)内に受信された場合、このことは、ポートの他方の端部がPPPoEサーバに接続されていることを示し、PADOメッセージが第2の所定の時間内に受信されなかった場合、ポートの他方の端部は、PPPoEサーバに接続されておらず、DHCPサーバにも接続されていないと見なされ、したがって、ポートの機能モードは、LANモードに設定される。第1の所定の時間は、ルーティングデバイスが第1の検出メッセージを開始すると始まり、第2の所定の時間は、ルーティングデバイスが第2の検出メッセージを開始すると始まり、第1の所定の時間および第2の所定の時間は、製造業者によってルーティングデバイス内であらかじめ設定可能であり、またはルーティングデバイスの後の使用中に設定されることも可能である。本発明のこの実施形態において、ル
ーティングデバイスは、最初に、DHCP発見メッセージを介してポートの他方の端部にDHCPサーバが存在するかどうかを検出する。DHCPオファメッセージが第1の所定の時間内に受信された場合、ポートの他方の端部は、DHCPサーバに接続されていると見なすことが可能であり、ポートの機能モードは、WANモードに設定され、DHCPオファの中のIPアドレスがポートに割り当てられ、したがって、ルーティングデバイスは、WANモードで機能するポートを介してワイドエリアイーサネット（登録商標）にアクセスすることができる。DHCPオファメッセージが第1の所定の時間内に受信されなかった場合、PADIメッセージを介してポートの他方の端部にPPPoEサーバが存在するかどうかがさらに検出される。PADOメッセージが第2の所定の時間内に受信された場合、ポートの他方の端部は、PPPoEサーバに接続されていると見なすことが可能であり、ポートの機能モードは、WANモードに設定され、このPADOメッセージに応答してPPPoEセッションが確立され、PPPoEサーバに対してPPPoEダイヤルアップ接続要求が開始され、したがって、ルーティングデバイスは、WANモードで機能するポートを介してワイドエリアイーサネット（登録商標）にアクセスすることができる。PADOメッセージが第2の所定の時間内に受信されなかった場合、ポートの他方の端部は、PPPoEサーバにも、DHCPサーバにも接続されていないと見なすことが可能であり、ポートの機能モードは、LANモードに設定される。ポートの機能モードは、DHCPオファメッセージまたはPADOメッセージが受信された直後に設定可能であり、または第1の所定の時間および第2の所定の時間が終了した後に設定されることも可能であり、このことは、本発明のすべての実施形態において限定されないことに留意されたい。前述の解決策によって、ルーティングデバイスは、ポートの機能モードをWANモードまたはLANモードに自動的に設定することができるとともに、正常に機能し、ユーザには設定を実行することが要求されないため、ポートの機能モードを設定するプロセスが簡略化される。
【００６５】
オプションとして、この実施形態において、ルーティングデバイスは、PADIメッセージを介して、ポートの他方の端部にPPPoEサーバが存在するかどうかを検出することが可能であり、PPPoEサーバが備えられていないと見なされる場合、DHCP発見メッセージを介して、ポートの他方の端部にDHCPサーバが存在するかどうかをさらに検出することが可能であり、このこともまた、ポートの機能モードを設定するプロセスを簡略化する有益な効果を実現することができる。
【００６６】
図5を参照すると、本発明のさらに別の実施形態において、ルーティングデバイスは、第1の検出メッセージおよび第2の検出メッセージを同時に開始することも可能であり、さらに詳細な方法は、以下のとおりである。
【００６７】
ステップ301:ポートを介して第1の検出メッセージおよび第2の検出メッセージを同時に開始する。
【００６８】
第1の検出メッセージは、第1のネットワークサーバを検出するために使用され、第2の検出メッセージは、第2のネットワークサーバを検出するために使用される。
【００６９】
ステップ302:第1の検出メッセージに対する第1の応答メッセージおよび第2の検出メッセージに対する第2の応答メッセージのうちの少なくとも一方が所定の時間内に受信された場合、ポートの機能モードをWANモードに設定する。
【００７０】
ステップ303:第1の検出メッセージに対する第1の応答メッセージが第1の所定の時間内に受信されず、第2の検出メッセージに対する第2の応答メッセージも第2の所定の時間内に受信されなかった場合、ポートの機能モードをLANモードに設定する。
【００７１】
具体的には、ルーティングデバイスのポートが、ケーブルを介して、または他の方式でデバイスもしくはネットワークに接続されると、またはルーティングデバイスに電源が投入される、もしくはルーティングデバイスが再起動されると、ステップ301がトリガされる。
【００７２】
具体的には、第1の検出メッセージは、DHCP発見メッセージであることが可能であり、第1の応答メッセージは、DHCPオファメッセージであることが可能であり、第2の検出メッセージは、PADIメッセージであることが可能であり、第2の応答メッセージは、PADOメッセージであることが可能である。詳細な情報交換プロセスおよび判定原理は、本明細書でより長々と説明される他の実施形態を参照することが可能である。
【００７３】
本発明のこの実施形態において、第1の所定の時間は、ルーティングデバイスが第1の検出メッセージを開始すると始まり、第2の所定の時間は、ルーティングデバイスが第2の検出メッセージを開始すると始まり、第1の所定の時間と第2の所定の時間は、同一の所定の時間であることが可能であり、製造業者によってルーティングデバイス内であらかじめ設定可能であり、またはルーティングデバイスの後の使用中に設定されることも可能である。ルーティングデバイスは、ポートを介してDHCP発見メッセージとPADIメッセージを同時に開始することが可能であり、またはポートを介してDHCP発見メッセージとPADIメッセージを順次に開始することも可能であり、DHCP発見メッセージが最初に開始される場合、PADIメッセージの開始とDHCP発見メッセージの開始の間の時間間隔は、第1の所定の時間より短く、PADIメッセージが最初に開始される場合、DHCP発見メッセージの開始とPADIメッセージの開始の間の時間間隔は、第2の所定の時間より短い。
【００７４】
オプションとして、DHCPオファメッセージが第1の所定の時間内に受信された際にPADOメッセージが受信されなかった場合、ルーティングデバイスは、DHCPオファメッセージに従って、DHCPオファメッセージの中のIPアドレスをポートに割り当て、DHCPオファメッセージを送信するDHCPサーバを相手にDHCPセッションを確立し、ポートの機能モードをWANモードに設定し、PADOメッセージが第2の所定の時間内に受信された際にDHCPオファメッセージが受信されなかった場合、ルーティングデバイスは、PADOメッセージに従って、PADOメッセージを送信するPPPoEサーバを相手にPPPoEセッションを確立し、ポートの機能モードをWANモードに設定する。
【００７５】
ルーティングデバイスが、DHCPオファメッセージもPADOメッセージも受信しなかった場合、ポートの機能モードをLANモードに設定する。前述の解決策によって、ポートの別の側でサーバを検出することに関する時間遅延が、ポートの機能モードの設定をより迅速に完了させるように短縮され得る。
【００７６】
前述の解決策において、一部の適用シナリオでは、ルーティングデバイスは、DHCPオファメッセージとPADIメッセージをともに受信することも可能であり、この適用シナリオのシステムアーキテクチャが、図6に示され、ルーティングデバイスAが、ポートを介してDHCPサーバを備えたデバイスBに接続され、デバイスBが、PPPoEサーバを備えたネットワークに接続され、デバイスBが他のアクセスデバイスにさらに接続され、このアーキテクチャにおいて、デバイスBは、PPPoEサーバを相手にPPPoE接続を確立し、ワイドエリアネットワークにアクセスし、他のアクセスデバイスが、デバイスBを介してワイドエリアネットワークにアクセスする。そのような適用シナリオにおいて、ルーティングデバイスAがDHCP発見メッセージおよびPADIメッセージを開始すると、DHCPサーバとPPPoEサーバの両方が、ルーティングデバイスAがポートを介してアクセスするネットワーク内で与えられ、ルーティングデバイスAは、ステップ301が実行された後、ネットワーク相互接続のためにDHCPオファメッセージとPADOメッセージの両方を受信することが可能である。例えば、ルーティングデバイスAが、PADOメッセージに応答してPPPoEサーバにPPPoEダイヤルアップ要求を送信して、デバイスBとPPPoEサーバの間でPPPoE接続が確立されるようにし、デバイスBとPPPoEサーバの間のPPPoE接続が不安定になる可能性がある。そのような適用シナリオにおいて、ルーティングデバイスAは、DHCPサーバを相手に接続を確立すること、およびDHCPサーバによって割り当てられたIPアドレスをポートに割り当てることができるものと見込まれる。したがって、オプションとして、本発明のこの実施形態において、優先されるのは、DHCP発見メッセージに応答を行い、DHCP発見メッセージに従って、ポートパラメータを構成することであることが可能であり、このことは、具体的には、以下のとおりである。
【００７７】
PADOメッセージが第2の所定の時間内に受信された際にDHCPオファメッセージが受信されなかった場合、待ちつづけ、その後、DHCPオファメッセージが第1の所定の時間内に受信された場合、DHCPオファメッセージに従って、DHCPオファメッセージの中のIPアドレスをポートに割り当て、DHCPオファメッセージを送信するDHCPサーバを相手にDHCPセッションを確立し、ポートの機能モードをWANモードに設定し、DHCPオファメッセージが第1の所定の時間内に受信されなかった場合、PADOメッセージに従って、PADOメッセージを送信するPPPoEサーバを相手にPPPoEセッションを確立し、ポートの機能モードをWANモードに設定する。
【００７８】
DHCPオファメッセージが第1の所定の時間内に受信された際にPADOメッセージが受信されなかった場合、
DHCPオファメッセージに従って、DHCPオファメッセージの中のIPアドレスをポートに割り当て、DHCPオファメッセージを送信するDHCPサーバを相手にDHCPセッションを確立し、ポートの機能モードをWANモードに設定し、その後、PADOメッセージが受信された場合、そのPADOメッセージに全く応答を行わない。
【００７９】
この実施形態を実行することによって、図6に示される適用シナリオにおいてルーティングデバイスがDHCPサーバに正常に、迅速に接続可能であり、DHCPサーバデバイスとPPPoEサーバの間の接続が安定した状態に保たれる。
【００８０】
本発明のこの実施形態において、検出メッセージ、すなわち、第1の検出メッセージおよび第2の検出メッセージは、DHCP発見メッセージおよびPADIメッセージに限定されず、ワイドエリアネットワーク側のサーバを検出するために使用され得る限りで、代わりにネットワークメッセージが本発明において使用されてもよいことに留意されたい。本発明のこの実施形態において、DHCP発見メッセージおよびPADIメッセージは、単に例示のための例とされているにすぎず、このことは、本発明の限定を成すものではない。
【００８１】
図7を参照すると、本発明の或る実施形態は、ポートを含むルーティングデバイスをさらに提供し、このルーティングデバイスは、以下の構造体、すなわち、
ポートを介して検出メッセージを開始するように構成された検出ユニット401であって、検出メッセージは、ネットワークサーバを検出するために使用される、検出ユニット401と、
検出メッセージに対する応答メッセージが所定の時間内に受信された場合、ポートの機能モードをWANモードに設定するように構成されたWANモード設定ユニット402と、
検出メッセージに対する応答メッセージが所定の時間内に受信されなかった場合、ポートの機能モードをLANモードに設定するように構成されたLANモード設定ユニット403と
をさらに含む。
【００８２】
具体的には、ルーティングデバイスのポートが、ケーブルを介して、または他の方式でデバイスもしくはネットワークに接続されると、またはルーティングデバイスに電源が投入される、もしくはルーティングデバイスが再起動されると、検出ユニット401が、検出メッセージを開始するようにトリガされる。検出ユニット401は、ポートを介して検出メッセージを開始し、この検出メッセージは、ルーティングデバイスがワイドエリアイーサネット（登録商標）にアクセスするようにポートの他方の端部がネットワークサーバに接続されているかどうかを検出するために使用される。所定の時間内に、検出ユニット401は、検出メッセージを複数回、送信して、パケットロス、望ましくないネットワーク条件などに起因する検出メッセージを送信することの失敗を防止するようにすることができる。製造業者によってルーティングデバイス内であらかじめ設定可能であり、またはルーティングデバイスの後の使用中に設定されることも可能である、この所定の時間は、ルーティングデバイスが検出メッセージを開始すると、始まる。
【００８３】
ポートに接続されたデバイスまたはネットワークが、ルーティングデバイスに応答メッセージを戻し、ルーティングデバイスが所定の時間(例えば、15秒)内に応答メッセージを受信した場合、ルーティングデバイスに接続されたデバイスは、ネットワークサーバであり、またはルーティングデバイスに接続されたネットワーク内にネットワークサーバが存在し、したがって、ルーティングデバイスは、そのネットワークサーバを介してワイドエリアネットワークにアクセスすることができると見なすことが可能である。WANモード設定ユニット402が、応答メッセージに従って、ポートの機能モードをWANモードに設定して、ルーティングデバイスが、WANモードで機能するポートを介してワイドエリアイーサネット（登録商標）にアクセスすることができるようにする。具体的には、ポートの機能モードが設定される際、ポートの現在の機能モードがWANモードである場合、ポートの機能モードは、変わらないままであり、ポートの現在の機能モードがLANモードである場合、ポートの機能モードは、WANモードに再び設定される。
【００８４】
ルーティングデバイスが所定の時間内に検出メッセージに対する応答メッセージを受信しなかった場合、ルーティングデバイスがワイドエリアイーサネット（登録商標）にアクセスするネットワークサーバは、ポートの他方の端部に存在せず、ポートに接続されたデバイスは、PCやハブなどの、ネットワークにまだアクセスしていない他のアクセスデバイスのうちの1つであると見なすことが可能である。LANモード設定ユニット403が、ポートの機能モードをLANモードに設定し、USBポート、ワイヤレスネットワークポート、または他の物理ポートなどの他のポートを介してワイドエリアイーサネット（登録商標）にアクセスし、したがって、他のアクセスデバイスは、LANモードで機能するポートを介してワイドエリアイーサネット（登録商標）にアクセスすることができる。具体的には、ポートの機能モードが設定される際、ポートの現在の機能モードがLANモードである場合、ポートの機能モードは、変わらないままであり、ポートの現在の機能モードがWANモードである場合、ポートの機能モードは、LANモードに再び設定される。
【００８５】
オプションとして、検出ユニット401は、DHCPクライアントユニットであり、検出メッセージは、DHCP発見メッセージであり、検出メッセージに対する応答メッセージは、DHCPオファメッセージである。DHCP発見メッセージが開始された後、ルーティングデバイスが所定の時間内にDHCPオファメッセージを受信した場合、ポートの他方の端部は、DHCPサーバに接続されているものと見なすことが可能であり、DHCPサーバは、ローカルエリアネットワークアクセスデバイスに動的IPアドレスを割り当てて、そのアクセスデバイスがワイドエリアイーサネット（登録商標）にアクセスすることができるようにするために主に使用される。このDHCPサーバは、DHCPサーバの機能を有する別のルーティングデバイスに組み込まれることが可能である。
【００８６】
本発明のこの実施形態において、ルーティングデバイスは、DHCP発見メッセージを介して、ポートの他方の端部にDHCPサーバが存在するかどうかを検出することができ、DHCPオファメッセージが所定の時間内に受信された場合、ポートの他方の端部はDHCPサーバに接続されていると見なされ、ポートの機能モードは、WANモードに設定され、したがって、ルーティングデバイスは、WANモードで機能するポートを介してワイドエリアイーサネット（登録商標）にアクセスすることができる。DHCPオファメッセージが所定の時間内に受信されなかった場合、ポートの他方の端部は、DHCPサーバに接続されておらず、ポートの機能モードは、LANモードに設定されると見なされる。前述の解決策によって、ルーティングデバイスは、ポートの機能モードをWANモードまたはLANモードに自動的に設定することができるとともに、正常に機能し、ユーザには設定を実行することが要求されないため、ポートの機能モードを設定するプロセスが簡略化される。
【００８７】
オプションとして、検出ユニット401は、PPPoEクライアントユニットであり、検出メッセージは、PADIメッセージであり、検出メッセージに対する応答メッセージは、PADOメッセージである。PADIメッセージが開始された後、ルーティングデバイスが所定の時間内にPADOメッセージを受信した場合、ポートの他方の端部は、PPPoEサーバに接続されていると見なすことが可能であり、このPPPoEサーバは、ローカルエリアネットワークアクセスデバイスのPPPoEダイヤルアップ要求を主に受信して、ローカルエリアネットワークアクセスデバイスのダイヤルアップアクセスを実施するようにする。このPPPoEサーバは、PPPoEサーバの機能を有する1つのモデムに組み込まれることが可能であり、またはPPPoEサーバの機能を有する別のルーティングデバイスに組み込まれることも可能である。PADOメッセージを受信した後、ルーティングデバイスは、PPPoEダイヤルアップアクセスプロセスを完了して、ワイドエリアネットワークにアクセスするように、PPPoEサーバを相手に一連の情報交換を実行することができる。
【００８８】
本発明のこの実施形態において、ルーティングデバイスは、PADIメッセージを介して、ポートの他方の端部にPPPoEサーバが存在するかどうかを検出することができ、PADOメッセージが所定の時間内に受信された場合、ポートの他方の端部は、PPPoEサーバに接続されていると見なすことが可能であり、ポートの機能モードは、WANモードに設定され、PPPoEサーバに対してPPPoEダイヤルアップ接続要求が開始され、したがって、ルーティングデバイスは、WANモードで機能するポートを介してワイドエリアイーサネット（登録商標）にアクセスすることができる。PADOメッセージが所定の時間内に受信されなかった場合、ポートの他方の端部は、PPPoEサーバに接続されていないと見なすことが可能であり、ポートの機能モードは、LANモードに設定される。前述の解決策によって、ルーティングデバイスは、ポートの機能モードをWANモードまたはLANモードに自動的に設定することができるとともに、正常に機能し、ユーザには設定を実行することが要求されないため、ポートの機能モードを設定するプロセスが簡略化される。
【００８９】
図8を参照すると、本発明の或る実施形態は、ポートを含む別のルーティングデバイスをさらに提供し、このルーティングデバイスは、以下の構造体、すなわち、
ポートを介して第1の検出メッセージを開始するように構成された第1の検出ユニット501であって、第1の検出メッセージは、第1のネットワークサーバを検出するために使用される、第1の検出ユニット501と、
第1の検出メッセージに対する第1の応答メッセージが第1の所定の時間内に受信された場合、ポートの機能モードをWANモードに設定するように構成された第1のWANモード設定ユニット502と、
第1の検出メッセージに対する第1の応答メッセージが第1の所定の時間内に受信されなかった場合、ポートを介して第2の検出メッセージを開始するように構成された第2の検出ユニット503であって、第2の検出メッセージは、第2のネットワークサーバを検出するために使用される、第2の検出ユニット503と、
第2の検出メッセージに対する第2の応答メッセージが第2の所定の時間内に受信された場合、ポートの機能モードをWANモードに設定するようにさらに構成された第1のWANモード設定ユニット502と、
第2の検出メッセージに対する第2の応答メッセージが第2の所定の時間内に受信されなかった場合、ポートの機能モードをLANモードに設定するように構成された第1のLANモード設定ユニット504と
をさらに含む。
【００９０】
具体的には、ルーティングデバイスのポートが、ケーブルを介して、または他の方式でデバイスもしくはネットワークに接続されると、またはルーティングデバイスに電源が投入される、もしくはルーティングデバイスが再起動されると、第1の検出ユニット501が、ポートを介して第1の検出メッセージを開始するようにトリガされる。
【００９１】
オプションとして、第1の検出ユニット501は、DHCPクライアントユニットであることが可能であり、第1の検出メッセージは、DHCP発見メッセージであることが可能であり、第1の応答メッセージは、DHCPオファメッセージであることが可能であり、第2の検出ユニット503は、PPPoEクライアントユニットであることが可能であり、第2の検出メッセージは、PADIメッセージであることが可能であり、第2の応答メッセージは、PADOメッセージであることが可能である。第1の検出ユニット501および第2の検出ユニット503は、第1の検出メッセージおよび第2の検出メッセージを複数回、送信して、パケットロス、望ましくないネットワーク条件などに起因する第1の検出メッセージおよび第2の検出メッセージを送信することの失敗を防止するようにすることができる。この実施形態において、DHCPクライアントユニットは、最初に、ポートを介してDHCP発見メッセージを開始して、ルーティングデバイスのポートの他方の端部がDHCPサーバに接続されているかどうかを検出するようにし、DHCPオファメッセージが第1の所定の時間(15秒または10秒などの)内に受信された場合、このことは、ポートの他方の端部がDHCPサーバに接続されていることを示し、このDHCPサーバは、DHCPサーバの機能を有する別のルーティングデバイスに組み込まれることが可能である。DHCPオファメッセージが第1の所定の時間内に受信されなかった場合、PPPoEクライアントユニットが、ルーティングデバイスのポートの他方の端部がPPPoEサーバに接続されているかどうかを検出するPADIメッセージを開始し、PADOメッセージが第2の所定の時間(15秒または10秒などの)内に受信された場合、このことは、ポートの他方の端部がPPPoEサーバに接続されていることを示し、PADOメッセージが第2の所定の時間内に受信されなかった場合、ポートの他方の端部は、PPPoEサーバに接続されておらず、DHCPサーバにも接続されていないと見なされ、したがって、第1のLANモード設定ユニット504が、ポートの機能モードをLANモードに設定する。第1の所定の時間は、ルーティングデバイスが第1の検出メッセージを初回に開始すると始まり、第2の所定の時間は、ルーティングデバイスが第2の検出メッセージを初回に開始すると始まり、第1の所定の時間および第2の所定の時間は、製造業者によってルーティングデバイス内であらかじめ設定可能であり、またはルーティングデバイスの後の使用中に設定されることも可能である。
【００９２】
本発明のこの実施形態において、ルーティングデバイスは、最初に、DHCP発見メッセージを介してポートの他方の端部にDHCPサーバが存在するかどうかを検出し、DHCPオファメッセージが第1の所定の時間内に受信された場合、ポートの他方の端部は、DHCPサーバに接続されていると見なすことが可能であり、ポートの機能モードは、WANモードに設定され、DHCPオファの中のIPアドレスがポートに対して構成され、したがって、ルーティングデバイスは、WANモードで機能するポートを介してワイドエリアイーサネット（登録商標）にアクセスすることができる。DHCPオファメッセージが第1の所定の時間内に受信されなかった場合、PADIメッセージを介してポートの他方の端部にPPPoEサーバが存在するかどうかがさらに検出され、PADOメッセージが第2の所定の時間内に受信された場合、ポートの他方の端部は、PPPoEサーバに接続されていると見なすことが可能であり、ポートの機能モードは、WANモードに設定され、このPADOメッセージに応答してPPPoEセッションが確立され、PPPoEサーバに対してPPPoEダイヤルアップ接続要求が開始され、したがって、ルーティングデバイスは、WANモードで機能するポートを介してワイドエリアイーサネット（登録商標）にアクセスすることができる。PADOメッセージが第2の所定の時間内に受信されなかった場合、ポートの他方の端部は、PPPoEサーバにも、DHCPサーバにも接続されていないと見なすことが可能であり、ポートの機能モードは、LANモードに設定される。前述の解決策によって、ルーティングデバイスは、ポートの機能モードをWANモードまたはLANモードに自動的に設定することができるとともに、正常に機能し、ユーザには設定を実行することが要求されないため、ポートの機能モードを設定するプロセスが簡略化される。
【００９３】
オプションとして、この実施形態において、第1の検出ユニット501は、PPPoEクライアントユニットであることも可能であり、第1の検出メッセージは、PADIメッセージであることが可能であり、第1の応答メッセージは、PADOメッセージであることが可能であり、第2の検出ユニット503は、DHCPクライアントユニットであることが可能であり、第2の検出メッセージは、DHCP発見メッセージであることが可能であり、第2の応答メッセージは、DHCPオファメッセージであることが可能である。ルーティングデバイスは、PADIメッセージを介して、ポートの他方の端部にPPPoEサーバが存在するかどうかを検出することも可能であり、PPPoEサーバが備えられていないと見なされる場合、DHCP発見メッセージを介して、ポートの他方の端部にDHCPサーバが存在するかどうかをさらに検出することが可能であり、このこともまた、ポートの機能モードを設定するプロセスを簡略化する有益な効果を実現することができる。
【００９４】
図9を参照すると、本発明の或る実施形態は、ポートを含む別のルーティングデバイスをさらに提供し、このルーティングデバイスは、以下の構造体、すなわち、
ポートを介して第1の検出メッセージおよび第2の検出メッセージを同時に開始するように構成された第3の検出ユニット601であって、第1の検出メッセージは、第1のネットワークサーバを検出するために使用され、第2の検出メッセージは、第2のネットワークサーバを検出するために使用される、第3の検出ユニット601と、
第1の検出メッセージに対する第1の応答メッセージおよび第2の検出メッセージに対する第2の応答メッセージのうちの少なくとも一方が所定の時間内に受信された場合、ポートの機能モードをWANモードに設定するように構成された第2のWANモード設定ユニット602と、
第1の検出メッセージに対する第1の応答メッセージが第1の所定の時間内に受信されず、第2の検出メッセージに対する第2の応答メッセージも第2の所定の時間内に受信されなかった場合、ポートの機能モードをLANモードに設定するように構成された第2のLANモード設定ユニット603と
をさらに含む。
【００９５】
具体的には、ルーティングデバイスのポートが、ケーブルを介して、または他の方式でデバイスもしくはネットワークに接続されると、またはルーティングデバイスに電源が投入される、もしくはルーティングデバイスが再起動されると、第3の検出ユニット601が、第1の検出メッセージおよび第2の検出メッセージを開始するようにトリガされる。具体的には、第1の検出メッセージは、DHCP発見メッセージであることが可能であり、第1の応答メッセージは、DHCPオファメッセージであることが可能であり、第2の検出メッセージは、PADIメッセージであることが可能であり、第2の応答メッセージは、PADOメッセージであることが可能である。この特定の方法は、ここでより長々と説明される、他の実施形態を参照することが可能である。第1の所定の時間は、ルーティングデバイスが第1の検出メッセージを開始すると始まり、第2の所定の時間は、ルーティングデバイスが第2の検出メッセージを開始すると始まり、第1の所定の時間と第2の所定の時間は、同一の所定の時間であることが可能であり、製造業者によってルーティングデバイス内であらかじめ設定可能であり、またはルーティングデバイスの後の使用中に設定されることも可能である。
【００９６】
本発明のこの実施形態において、第3の検出ユニット601は、ポートを介してDHCP発見メッセージとPADIメッセージを同時に送信すること、ポートの他方の端部がDHCPサーバまたはPPPoEサーバに接続されているかどうかを検出すること、またはポートを介してDHCP発見メッセージとPADIメッセージを順次に開始することができ、DHCP発見メッセージが最初に開始される場合、PADIメッセージの開始とDHCP発見メッセージの開始の間の時間間隔は、第1の所定の時間より短く、PADIメッセージが最初に開始される場合、DHCP発見メッセージの開始とPADIメッセージの開始の間の時間間隔は、第2の所定の時間より短い。
【００９７】
オプションとして、第3の検出ユニット601が、DHCPオファメッセージを第1の所定の時間内に受信した際にPADOメッセージを受信しなかった場合、第2のLANモード設定ユニット603が、DHCPオファメッセージの中のIPアドレスをポートに割り当て、DHCPオファメッセージを送信するDHCPサーバを相手にDHCPセッションを確立し、ポートの機能モードをWANモードに設定し、第3の検出ユニット601が、PADOメッセージを第2の所定の時間内に受信した際にDHCPオファメッセージを受信しなかった場合、第2のLANモード設定ユニット603が、PADOメッセージを送信するPPPoEサーバを相手にPPPoEセッションを確立し、ポートの機能モードをWANモードに設定する。
【００９８】
ルーティングデバイスがDHCPオファメッセージもPADOメッセージも受信しなかった場合、第2のLANモード設定ユニット603が、ポートの機能モードをLANモードに設定する。前述の解決策によって、ポートの別の側でサーバを検出することに関する時間遅延が、ポートの機能モードの設定をより迅速に完了させるように短縮され得る。
【００９９】
前述の解決策において、一部の適用シナリオでは、ルーティングデバイスは、DHCPオファメッセージとPADIメッセージをともに受信することも可能であり、この適用シナリオのシステムアーキテクチャが、図6に示される。ルーティングデバイスAが、ポートを介してDHCPサーバを備えたデバイスBに接続され、デバイスBが、PPPoEサーバを備えたネットワークに接続され、デバイスBが他のアクセスデバイスにさらに接続され、このアーキテクチャにおいて、デバイスBは、PPPoEサーバを相手にPPPoE接続を確立し、ワイドエリアネットワークにアクセスし、他のアクセスデバイスが、デバイスBを介してワイドエリアネットワークにアクセスする。そのような適用シナリオにおいて、ルーティングデバイスAがDHCP発見メッセージおよびPADIメッセージを開始すると、DHCPサーバとPPPoEサーバの両方が、ルーティングデバイスAがポートを介してアクセスするネットワーク内で与えられ、ルーティングデバイスAは、DHCP発見メッセージおよびPADIメッセージを開始した後、ネットワーク相互接続のためにDHCPオファメッセージとPADOメッセージの両方を受信することが可能である。例えば、ルーティングデバイスAが、PADOメッセージに応答してPPPoEサーバを相手に接続を確立し、PPPoEサーバにPPPoEダイヤルアップ要求を送信して、デバイスBとPPPoEサーバの間でPPPoE接続が確立されるようにし、デバイスBとPPPoEサーバの間のPPPoE接続が不安定になる可能性がある。そのような適用シナリオにおいて、ルーティングデバイスAは、DHCPサーバを相手に接続を確立すること、およびDHCPサーバによって割り当てられたIPアドレスをポートに割り当てることができるものと見込まれる。したがって、オプションとして、優先されるのは、本発明の実施形態における第2のWANモード設定ユニット602が、DHCP発見メッセージに応答を行い、DHCP発見メッセージに従って、ポートパラメータを構成することであることが可能である。具体的には、PADOメッセージが第2の所定の時間内に受信された際にDHCPオファメッセージが受信されなかった場合、待ちつづけ、その後、DHCPオファメッセージが第1の所定の時間内に受信された場合、DHCPオファメッセージに従って、DHCPオファメッセージの中のIPアドレスをポートに割り当て、DHCPオファメッセージを送信するDHCPサーバを相手にDHCPセッションを確立し、ポートの機能モードをWANモードに設定し、DHCPオファメッセージが第1の所定の時間内に受信されなかった場合、PADOメッセージに従って、PADOメッセージを送信するPPPoEサーバを相手にPPPoEセッションを確立し、ポートの機能モードをWANモードに設定する。
【０１００】
DHCPオファメッセージが第1の所定の時間内に受信された際にPADOメッセージが受信されなかった場合、
DHCPオファメッセージに従って、DHCPオファメッセージの中のIPアドレスをポートに割り当て、DHCPオファメッセージを送信するDHCPサーバを相手にDHCPセッションを確立し、ポートの機能モードをWANモードに設定し、その後、PADOメッセージが受信された場合、そのPADOメッセージに全く応答を行わない。
【０１０１】
この適用シナリオにおける第2のWANモード設定ユニット602のこの特定の判定方法は、図7、および本明細書でより長々と説明される前述の方法実施形態を参照することも可能である。
【０１０２】
第2のWANモード設定ユニット602による前述の方法の実行を介して、図6に示される適用シナリオにおいて、ルーティングデバイスがDHCPサーバに正常に接続されて、DHCPサーバデバイスとPPPoEサーバの間の接続を安定した状態に保つことが可能である。
【０１０３】
本発明の実施形態において、検出メッセージ、すなわち、第1の検出メッセージおよび第2の検出メッセージは、DHCP発見メッセージおよびPADIメッセージに限定されず、ワイドエリアネットワーク側のサーバを検出するために使用され得る限りで、代わりにネットワークメッセージが本発明において使用されてもよいことに留意されたい。本発明の実施形態において、DHCP発見メッセージおよびPADIメッセージは、単に例示のための例とされているにすぎず、このことは、本発明の限定を成すものではない。
【０１０４】
本発明の実施形態において、検出ユニットおよび設定ユニットは、別々のハードウェアモジュールによって実施されても、1つの統合されたマイクロプロセッサ、もしくはメインチップに組み込まれた機能モジュールによって実施されてもよいことに留意されたい。
【０１０５】
図10を参照すると、本発明の或る実施形態は、ルーティングデバイスをさらに提供し、このルーティングデバイスは、以下の構造体、すなわち、
ポート701と、
プロセッサ702とを含み、このプロセッサ702は、ポート701を介して検出メッセージを開始することであって、検出メッセージは、ネットワークサーバを検出するために使用される、開始すること、検出メッセージに対する応答メッセージが所定の時間内に受信された場合、ポート701の機能モードをWANモードに設定すること、および検出メッセージに対する応答メッセージが所定の時間内に受信されなかった場合、ポート701の機能モードをLANモードに設定することを行うように構成されている。
【０１０６】
オプションとして、検出メッセージは、DHCP発見メッセージであり、検出メッセージに対する応答メッセージは、DHCPオファメッセージである。代替として、検出メッセージは、PADIメッセージであり、検出メッセージに対する応答メッセージは、PADOメッセージである。様々な検出メッセージが、様々な使用シナリオにおいて適用され得、さらに本発明は、それらの検出メッセージに限定されない。残りの特定の動作方法は、他の実施形態を参照することが可能である、本明細書でさらに長々と説明される、他の実施形態と同様である。
【０１０７】
本発明の実施形態において、プロセッサ702は、検出メッセージを介して、ポート701の他方の端部にサーバが存在するかどうかを検出することができる。応答メッセージが所定の時間内に受信された場合、ポート701の他方の端部は、サーバに接続されていると見なすことが可能であり、プロセッサ702は、ポート701の機能モードをWANモードに設定して、ルーティングデバイスが、WANモードで機能するポート701を介してワイドエリアイーサネット（登録商標）にアクセスすることができるようにする。応答メッセージが所定の時間内に受信されなかった場合、ポート701の他方の端部は、サーバに接続されていないと見なすことが可能であり、プロセッサ702は、ポート701の機能モードをLANモードに設定する。前述の解決策によって、ルーティングデバイスは、ポートの機能モードをWANモードまたはLANモードに自動的に設定することができるとともに、正常に機能し、ユーザには設定を実行することが要求されないため、ポートの機能モードを設定するプロセスが簡略化される。
【０１０８】
図11を参照すると、本発明の或る実施形態は、ルーティングデバイスをさらに提供し、このルーティングデバイスは、以下の構造体、すなわち、
ポート801と、
第1のプロセッサ802とを含み、この第1のプロセッサ802は、ポート801を介して第1の検出メッセージを開始することであって、第1の検出メッセージは、第1のネットワークサーバを検出するために使用される、第1の検出メッセージを開始すること、第1の検出メッセージに対する第1の応答メッセージが第1の所定の時間内に受信された場合、ポート801の機能モードをWANモードに設定すること、第1の検出メッセージに対する第1の応答メッセージが第1の所定の時間内に受信されなかった場合、ポート801を介して第2の検出メッセージを開始することであって、第2の検出メッセージは、第2のネットワークサーバを検出するために使用される、第2の検出メッセージを開始すること、第2の検出メッセージに対する第2の応答メッセージが第2の所定の時間内に受信された場合、ポート801の機能モードをWANモードに設定すること、および第2の応答メッセージが第2の所定の時間内に受信されなかった場合、ポート801の機能モードをLANモードに設定することを行うように構成されている。
【０１０９】
オプションとして、本発明の或る実施形態において、第1の検出メッセージは、DHCP発見メッセージであることが可能であり、第1の応答メッセージは、DHCPオファメッセージであることが可能であり、第2の検出メッセージは、PADIメッセージであることが可能であり、第2の応答メッセージは、PADOメッセージであることが可能である。第1の検出メッセージは、PADIメッセージであることが可能であり、第1の応答メッセージは、PADOメッセージであることが可能であり、第2の検出メッセージは、DHCP発見メッセージであることが可能であり、第2の応答メッセージは、DHCPオファメッセージであることが可能である。第1のプロセッサ802は、DHCP発見メッセージおよびPADIメッセージを複数回、送信して、パケットロス、望ましくないネットワーク条件などに起因するDHCP発見メッセージおよびPADIメッセージを送信することの失敗を防止するようにすることができる。この特定の方法は、本明細書でより長々と説明される、他の実施形態を参照することが可能である。ポートの機能モードは、DHCPオファメッセージまたはPADOメッセージが受信された直後に設定可能であり、または第1の所定の時間および第2の所定の時間が終了した後に設定されることも可能であり、このことは、本発明のすべての実施形態において限定されないことに留意されたい。
【０１１０】
本発明の実施形態において、第1のプロセッサ802は、第1の検出メッセージを介して、ポート801の他方の端部にサーバが存在するかどうかを検出することができ、第1のサーバが備えられていないと見なされる場合、第2の検出メッセージを介して、ポートの他方の端部に第2のサーバが存在するかどうかをさらに検出することができる。第1のサーバまたは第2のサーバが存在すると見なされる場合、第1のプロセッサ802は、ポート801の機能モードをWANモードに設定し、そうでない場合、ポート801の機能モードをLANモードに設定して、ポートの機能モードを設定するプロセスを簡略化する有益な効果を実現するようにする。
【０１１１】
図12を参照すると、本発明の或る実施形態は、ルーティングデバイスをさらに提供し、このルーティングデバイスは、以下の構造体、すなわち、
ポート901と、
第2のプロセッサ902とを含み、この第2のプロセッサ902は、ポート901を介して第1の検出メッセージおよび第2の検出メッセージを同時に開始することであって、第1の検出メッセージは、第1のネットワークサーバを検出するために使用され、第2の検出メッセージは、第2のネットワークサーバを検出するために使用される、開始すること、第1の検出メッセージに対する第1の応答メッセージおよび第2の検出メッセージに対する第2の応答メッセージのうちの少なくとも一方が所定の時間内に受信された場合、ポート901の機能モードをWANモードに設定すること、ならびに第1の検出メッセージに対する第1の応答メッセージが第1の所定の時間内に受信されず、第2の検出メッセージに対する第2の応答メッセージも第2の所定の時間内に受信されなかった場合、ポート901の機能モードをLANモードに設定することを行うように構成されている。
【０１１２】
具体的には、第1の検出メッセージは、DHCP発見メッセージであることが可能であり、第1の応答メッセージは、DHCPオファメッセージであることが可能であり、第2の検出メッセージは、PADIメッセージであることが可能であり、第2の応答メッセージは、PADOメッセージであることが可能である。この特定の方法は、本明細書でより長々と説明される、他の実施形態を参照することが可能である。
【０１１３】
本発明のこの実施形態において、第2のプロセッサ902は、ポートを介してDHCP発見メッセージとPADIメッセージを同時に送信して、ポートの他方の端部がDHCPサーバまたはPPPoEサーバに接続されているかどうかを検出することができ、ポート901を介してDHCP発見メッセージとPADIメッセージを順次に開始することができ、DHCP発見メッセージが最初に開始される場合、PADIメッセージの開始とDHCP発見メッセージの開始の間の時間間隔は、第1の所定の時間より短く、PADIメッセージが最初に開始される場合、DHCP発見メッセージの開始とPADIメッセージの開始の間の時間間隔は、第2の所定の時間より短い。
【０１１４】
オプションとして、第2のプロセッサ902が、DHCPオファメッセージを第1の所定の時間内に受信した際にPADOメッセージを受信しなかった場合、第2のプロセッサ902は、DHCPオファメッセージに従って、DHCPオファメッセージの中のIPアドレスをポートに割り当て、DHCPオファメッセージを送信するDHCPサーバを相手にDHCPセッションを確立し、ポートの機能モードをWANモードに設定し、第2のプロセッサ902が、PADOメッセージを第2の所定の時間内に受信した際にDHCPオファメッセージが受信しなかった場合、第2のプロセッサ902は、PADOメッセージに従って、PADOメッセージを送信するPPPoEサーバを相手にPPPoEセッションを確立し、ポートの機能モードをWANモードに設定する。
【０１１５】
第2のプロセッサ902が、DHCPオファメッセージもPADOメッセージも受信しなかった場合、第2のプロセッサ902は、ポートの機能モードをLANモードに設定する。前述の解決策によって、ポートの別の側でサーバを検出することに関する時間遅延が、ポートの機能モードの設定をより迅速に完了させるように短縮され得る。
【０１１６】
前述の解決策において、一部の適用シナリオでは、ルーティングデバイスは、DHCPオファメッセージとPADIメッセージをともに受信することも可能であり、この適用シナリオのシステムアーキテクチャが、図6に示される。ルーティングデバイスAが、ポートを介してDHCPサーバを備えたデバイスBに接続され、デバイスBが、PPPoEサーバを備えたネットワークに接続され、デバイスBが他のアクセスデバイスにさらに接続され、このアーキテクチャにおいて、デバイスBは、PPPoEサーバを相手にPPPoE接続を確立し、ワイドエリアネットワークにアクセスし、他のアクセスデバイスが、デバイスBを介してワイドエリアネットワークにアクセスする。そのような適用シナリオにおいて、ルーティングデバイスAがDHCP発見メッセージおよびPADIメッセージを開始すると、DHCPサーバとPPPoEサーバの両方が、ルーティングデバイスAがポートを介してアクセスするネットワーク内で与えられ、ルーティングデバイスAは、ステップ301が実行された後、ネットワーク相互接続のためにDHCPオファメッセージとPADOメッセージの両方を受信することが可能である。例えば、ルーティングデバイスAが、PADOメッセージに応答してPPPoEサーバにPPPoEダイヤルアップ要求を送信して、デバイスBとPPPoEサーバの間でPPPoE接続が確立されるようにし、デバイスBとPPPoEサーバの間のPPPoE接続が不安定になる可能性がある。そのような適用シナリオにおいて、ルーティングデバイスAは、DHCPサーバを相手に接続を確立すること、およびDHCPサーバによって割り当てられたIPアドレスをポートに割り当てることができるものと見込まれる。したがって、オプションとして、優先されるのは、第2のプロセッサ902が、DHCP発見メッセージに応答を行い、DHCP発見メッセージに従って、ポートパラメータを構成することであることが可能であり、このことは、具体的には、以下のとおりである。
【０１１７】
PADOメッセージが第2の所定の時間内に受信された際にDHCPオファメッセージが受信されなかった場合、待ちつづけ、その後、DHCPオファメッセージが第1の所定の時間内に受信された場合、DHCPオファメッセージに従って、DHCPオファメッセージの中のIPアドレスをポートに割り当て、DHCPオファメッセージを送信するDHCPサーバを相手にDHCPセッションを確立し、ポートの機能モードをWANモードに設定し、DHCPオファメッセージが第1の所定の時間内に受信されなかった場合、PADOメッセージに従って、PADOメッセージを送信するPPPoEサーバを相手にPPPoEセッションを確立し、ポートの機能モードをWANモードに設定する。
【０１１８】
DHCPオファメッセージが第1の所定の時間内に受信された際にPADOメッセージが受信されなかった場合、
DHCPオファメッセージに従って、DHCPオファメッセージの中のIPアドレスをポートに割り当て、DHCPオファメッセージを送信するDHCPサーバを相手にDHCPセッションを確立し、ポートの機能モードをWANモードに設定し、その後、PADOメッセージが受信された場合、そのPADOメッセージに全く応答を行わない。
【０１１９】
この適用シナリオにおける第2のプロセッサ902、この特定の判定方法は、図7、ならびに本明細書でさらに長々と説明される前述の方法実施形態を参照する。
【０１２０】
第2のプロセッサ902による前述の方法の実行を介して、図6に示される適用シナリオにおいて、ルーティングデバイスがDHCPサーバに正常に接続されて、DHCPサーバデバイスとPPPoEサーバの間の接続を安定した状態に保つことが可能である。
【０１２１】
本発明の実施形態において、検出ユニットおよび設定ユニットは、別々のハードウェアモジュールによって実施されても、1つの統合されたマイクロプロセッサ、もしくはメインチップに組み込まれた機能モジュールによって実施されてもよいことに留意されたい。
【０１２２】
本発明の或る実施形態は、ルーティングデバイスによって使用される読取り可能な記憶媒体を含むコンピュータプログラム製品をさらに提供し、プログラムコードがこの読取り可能な記憶媒体の中に格納され、このプログラムコードは、
ポート介して第1の検出メッセージおよび第2の検出メッセージを同時に開始するための命令であって、第1の検出メッセージは、第1のネットワークサーバを検出するために使用され、第2の検出メッセージは、第2のネットワークサーバを検出するために使用される、命令と、
第1の検出メッセージに対する第1の応答メッセージおよび第2の検出メッセージに対する第2の応答メッセージのうちの少なくとも一方が所定の時間内に受信された場合、ポートの機能モードをワイドエリアネットワークWANモードに設定するための命令と、
第1の検出メッセージに対する第1の応答メッセージが所定の時間内に受信されず、第2の検出メッセージに対する第2の応答メッセージも所定の時間内に受信されなかった場合、ポートの機能モードをローカルエリアネットワークLANモードに設定するための命令と
を含む。
【０１２３】
オプションとして、第1の検出メッセージは、動的ホスト構成プロトコルDHCP発見メッセージであり、第1の応答メッセージは、DHCPオファメッセージであり、第2の検出メッセージは、ポイントツーポイントプロトコルオーバイーサネット（登録商標）PADIメッセージであり、第2の応答メッセージは、PADOメッセージである。
【０１２４】
オプションとして、第1の検出メッセージに対する第1の応答メッセージおよび第2の検出メッセージに対する第2の応答メッセージのうちの少なくとも一方が所定の時間内に受信された場合、ポートの機能モードをワイドエリアネットワークWANモードに設定するための命令は、具体的には、
DHCPオファメッセージが所定の時間内に受信された際にPADOメッセージが受信されなかった場合、DHCPオファメッセージに従って、DHCPオファメッセージの中のIPアドレスをポートに割り当て、DHCPオファメッセージを送信するDHCPサーバを相手にDHCPセッションを確立し、ポートの機能モードをWANモードに設定するための命令であり、
PADOメッセージが所定の時間内に受信された際にDHCPオファメッセージが受信されなかった場合、
PADOメッセージに従って、PADOメッセージを送信するPPPoEサーバを相手にPPPoEセッションを確立し、ポートの機能モードをWANモードに設定するための命令である。
【０１２５】
オプションとして、第1の検出メッセージに対する第1の応答メッセージおよび第2の検出メッセージに対する第2の応答メッセージのうちの少なくとも一方が所定の時間内に受信された場合、ポートの機能モードをワイドエリアネットワークWANモードに設定するための命令は、具体的には、
PADOメッセージが所定の時間内に受信された際にDHCPオファメッセージが受信されなかった場合、待ちつづけるための命令、その後、DHCPオファメッセージが所定の時間内に受信された場合、DHCPオファメッセージに従って、DHCPオファメッセージの中のIPアドレスをポートに割り当て、DHCPオファメッセージを送信するDHCPサーバを相手にDHCPセッションを確立し、ポートの機能モードをWANモードに設定するための命令、およびDHCPオファメッセージが所定の時間内に受信されなかった場合、PADOメッセージに従って、PADOメッセージを送信するPPPoEサーバを相手にPPPoEセッションを確立し、ポートの機能モードをWANモードに設定するための命令であり、
DHCPオファメッセージが所定の時間内に受信された際にPADOメッセージが受信されなかった場合、
DHCPオファメッセージに従って、DHCPオファメッセージの中のIPアドレスをポートに割り当て、DHCPオファメッセージを送信するDHCPサーバを相手にDHCPセッションを確立し、ポートの機能モードをWANモードに設定するための命令である。
【０１２６】
前段で説明されるこの特定の実施方法は、ここでもはや説明しない、前述の実施形態における実施方法と同一である。
【０１２７】
本発明の或る実施形態は、ルーティングデバイスによって使用される読取り可能な記憶媒体を含む別のコンピュータプログラム製品をさらに提供し、プログラムコードがこの読取り可能な記憶媒体の中に格納され、このプログラムコードは、
ポートを介して第1の検出メッセージを開始するための命令であって、第1の検出メッセージは、第1のネットワークサーバを検出するために使用される、命令と、
第1の検出メッセージに対する第1の応答メッセージが第1の所定の時間内に受信された場合、ポートの機能モードをワイドエリアネットワークWANモードに設定するための命令と、
第1の検出メッセージに対する第1の応答メッセージが第1の所定の時間内に受信されなかった場合、ポートを介して第2の検出メッセージを開始するための命令であって、第2の検出メッセージは、第2のネットワークサーバを検出するために使用される、命令と、
第2の検出メッセージに対する第2の応答メッセージが第2の所定の時間内に受信された場合、ポートの機能モードをWANモードに設定するための命令と、
第2の検出メッセージに対する第2の応答メッセージが第2の所定の時間内に受信されなかった場合、ポートの機能モードをローカルエリアネットワークLANモードに設定するための命令と
を含む。
【０１２８】
オプションとして、第1の検出メッセージは、動的ホスト構成プロトコルDHCP発見メッセージであり、第1の応答メッセージは、DHCPオファメッセージであり、第2の検出メッセージは、ポイントツーポイントプロトコルオーバイーサネット（登録商標）PADIメッセージであり、第2の応答メッセージは、PADOメッセージである。
【０１２９】
具体的には、DHCPオファメッセージが第1の所定の時間内に受信された場合、ポートの機能モードをWANモードに設定するための命令は、具体的には、
DHCPオファメッセージの中のIPアドレスをポートに割り当て、DHCPオファメッセージを送信するDHCPサーバを相手にDHCPセッションを確立し、ポートの機能モードをWANモードに設定するための命令である。
【０１３０】
具体的には、PADOメッセージが第2の所定の時間内に受信された場合、ポートの機能モードをWANモードに設定するための命令は、具体的には、
PADOメッセージを送信するPPPoEサーバを相手にPPPoEセッションを確立し、ポートの機能モードをWANモードに設定するための命令である。
【０１３１】
前段で説明されるこの特定の実施方法は、ここでもはや説明しない、前述の実施形態における実施方法と同一である。
【０１３２】
前述の実施形態において、これらの実施形態の各実施形態の説明は、それぞれの焦点を有する。或る実施形態において具体的には説明されない部分に関して、他の実施形態における関連する説明が参照されてもよい。
【０１３３】
添付の図面は、例示的な実施形態の概略図にすぎず、添付の図面におけるモジュール、エンティティ、または方法は、本発明を実施するのに必須ではないことが当業者には理解され得る。
【０１３４】
この実施形態における端末装置のモジュールまたはエンティティは、この実施形態の説明に従って、この実施形態における端末装置内に分散され得、または変更されて、この実施形態におけるデバイスとは異なる1つまたは複数のデバイス内に配置され得ることを当業者は理解することができる。前述の実施形態におけるモジュールまたはエンティティは、組み合わされて1つのモジュールもしくはエンティティとしてもよく、またはさらに分割されて複数の下位のモジュールもしくはエンティティとしてもよい。本出願において与えられるいくつかの実施形態において、開示されるデバイスおよび方法は、他の方式で実施されてもよいことを理解されたい。例えば、説明される装置実施形態は、単に例示的である。例えば、ユニット分割は、単に論理的な機能分割にすぎず、実際の実施の際に他の分割であってもよい。例えば、複数のユニットもしくは構成要素が組み合わされて、もしくは統合されて、別のシステムにされてもよく、または一部の特徴が、無視されても、もしくは実行されなくてもよい。さらに、表示される、または説明される相互の結合、または直接の結合、または通信接続は、いくつかのインターフェースを介して実施されてもよい。装置またはユニットの間の間接的な結合または通信接続は、電子的形態、機械的形態、またはその他の形態で実施され得る。
【０１３５】
これらの実施形態の以上の説明に基づいて、本発明は、ソフトウェアと必要な汎用のハードウェアプラットフォームを使用して実施可能であり、さらに、明らかに、ハードウェアを使用することによって実施されることも可能であるが、ほとんどの事例において、本発明は、好ましくは、ソフトウェアとハードウェアプラットフォームを使用する方法を用いることによって実施されることが、当業者は完全に認識され得る。そのような理解に基づいて、本発明の技術的解決策は、基本的に、または従来技術に貢献する部分が、ソフトウェア製品によって実施され得る。このコンピュータソフトウェア製品は、コンピュータの読取り可能な記憶媒体、例えば、フロッピー（登録商標）ディスク、ハードディスク、または光ディスクの中に格納されるとともに、本発明の実施形態において説明される方法を実行するようコンピュータデバイス(パーソナルコンピュータ、サーバ、またはネットワークデバイスであることが可能な)に命令するためのいくつかの命令を含む。
【０１３６】
前述の実施形態は、本発明の技術的解決策を説明するためにだけ与えられ、本発明を限定することは意図していない。本発明は、前述の実施形態を参照して長々と説明されるものの、変形形態または置換形態が、対応する技術的解決策の本質を、本発明のこれらの実施形態の各実施形態における技術的解決策の趣旨および範囲から逸脱させない限り、これらの実施形態の各実施形態において説明される技術的解決策に変形が行われてもよく、またはこれらの技術的解決策における一部の技術的特徴に均等の置換が行われてもよいことが、当業者には理解されよう。
【符号の説明】
【０１３７】
401、501、503、601  検出ユニット
402、502、602  WANモード設定ユニット
403、504、603  LANモード設定ユニット
701、801、901  ポート
702、802、902  プロセッサ
【図１】
2014535228.tif 000003
【図２】
2014535228.tif 000004
【図３】
2014535228.tif 000005
【図４】
2014535228.tif 000006
【図５】
2014535228.tif 000007
【図６】
2014535228.tif 000008
【図７】
2014535228.tif 000009
【図８】
2014535228.tif 000010
【図９】
2014535228.tif 000011
【図１０】
2014535228.tif 000012
【図１１】
2014535228.tif 000013
【図１２】
2014535228.tif 000014
【手続補正書】
【提出日】平成25年12月20日(2013.12.20)
【手続補正１】
【補正対象書類名】特許請求の範囲
【補正対象項目名】全文
【補正方法】変更
【補正の内容】
【特許請求の範囲】
【請求項１】
ポート設定方法であって、
ポートを介して第1の検出メッセージおよび第2の検出メッセージを同時に開始するステップであって、前記第1の検出メッセージは、第1のネットワークサーバを検出するために使用され、前記第2の検出メッセージは、第2のネットワークサーバを検出するために使用される、ステップと、
前記第1の検出メッセージに対する第1の応答メッセージおよび前記第2の検出メッセージに対する第2の応答メッセージのうちの少なくとも一方が所定の時間内に受信された場合、前記ポートの機能モードをワイドエリアネットワークWANモードに設定するステップと、
前記第1の検出メッセージに対する前記第1の応答メッセージが前記所定の時間内に受信されず、前記第2の検出メッセージに対する前記第2の応答メッセージも前記所定の時間内に受信されなかった場合、前記ポートの前記機能モードをローカルエリアネットワークLANモードに設定するステップと
を含む方法。
【請求項２】
前記第1の検出メッセージは、動的ホスト構成プロトコルDHCP発見メッセージであり、前記第1の応答メッセージは、DHCPオファメッセージであり、前記第2の検出メッセージは、ポイントツーポイントプロトコルオーバイーサネット（登録商標）能動的発見開始PADIメッセージであり、前記第2の応答メッセージは、ポイントツーポイントプロトコルオーバイーサネット（登録商標）能動的発見オファPADOメッセージである請求項1に記載の方法。
【請求項３】
前記第1の検出メッセージに対する第1の応答メッセージおよび前記第2の検出メッセージに対する第2の応答メッセージのうちの少なくとも一方が所定の時間内に受信された場合、前記ポートの前記機能モードをワイドエリアネットワークWANモードに前記設定するステップは、
前記DHCPオファメッセージが前記所定の時間内に受信された際に前記PADOメッセージが受信されなかった場合、
前記DHCPオファメッセージに従って、前記DHCPオファメッセージの中のIPアドレスを前記ポートに割り当て、前記DHCPオファメッセージを送信するDHCPサーバを相手にDHCPセッションを確立し、前記ポートの前記機能モードをWANモードに設定するステップと、
前記PADOメッセージが前記所定の時間内に受信された際に前記DHCPオファメッセージが受信されなかった場合、
前記PADOメッセージに従って、前記PADOメッセージを送信するPPPoEサーバを相手にPPPoEセッションを確立し、前記ポートの前記機能モードをWANモードに設定するステップと
を含む請求項2に記載の方法。
【請求項４】
前記第1の検出メッセージに対する第1の応答メッセージおよび前記第2の検出メッセージに対する第2の応答メッセージのうちの少なくとも一方が所定の時間内に受信された場合、前記ポートの前記機能モードをワイドエリアネットワークWANモードに前記設定するステップは、
前記PADOメッセージが前記所定の時間内に受信された際に前記DHCPオファメッセージが受信されなかった場合、待ちつづけ、その後、前記DHCPオファメッセージが前記所定の時間内に受信された場合、前記DHCPオファメッセージに従って、前記DHCPオファメッセージの中のIPアドレスを前記ポートに割り当て、前記DHCPオファメッセージを送信するDHCPサーバを相手にDHCPセッションを確立し、前記ポートの前記機能モードをWANモードに設定し、前記DHCPオファメッセージが前記所定の時間内に受信されなかった場合、前記PADOメッセージに従って、前記PADOメッセージを送信するPPPoEサーバを相手にPPPoEセッションを確立し、前記ポートの前記機能モードをWANモードに設定するステップと、
前記DHCPオファメッセージが前記所定の時間内に受信された際に前記PADOメッセージが受信されなかった場合、
前記DHCPオファメッセージに従って、前記DHCPオファメッセージの中の前記IPアドレスを前記ポートに割り当て、前記DHCPオファメッセージを送信するDHCPサーバを相手にDHCPセッションを確立し、前記ポートの前記機能モードをWANモードに設定するステップと
を含む請求項2に記載の方法。
【請求項５】
ポート設定方法であって、
ポートを介して第1の検出メッセージを開始するステップであって、前記第1の検出メッセージは、第1のネットワークサーバを検出するために使用される、ステップと、
前記第1の検出メッセージに対する第1の応答メッセージが第1の所定の時間内に受信された場合、前記ポートの機能モードをワイドエリアネットワークWANモードに設定するステップと、
前記第1の検出メッセージに対する前記第1の応答メッセージが前記第1の所定の時間内に受信されなかった場合、前記ポートを介して第2の検出メッセージを開始するステップであって、前記第2の検出メッセージは、第2のネットワークサーバを検出するために使用される、ステップと、
前記第2の検出メッセージに対する第2の応答メッセージが第2の所定の時間内に受信された場合、前記ポートの前記機能モードをWANモードに設定するステップと、
前記第2の検出メッセージに対する前記第2の応答メッセージが前記第2の所定の時間内に受信されなかった場合、前記ポートの前記機能モードをローカルエリアネットワークLANモードに設定するステップと
を含む方法。
【請求項６】
前記第1の検出メッセージは、動的ホスト構成プロトコルDHCP発見メッセージであり、前記第1の応答メッセージは、DHCPオファメッセージであり、前記第2の検出メッセージは、ポイントツーポイントプロトコルオーバイーサネット（登録商標）能動的発見開始PADIメッセージであり、前記第2の応答メッセージは、ポイントツーポイントプロトコルオーバイーサネット（登録商標）能動的発見オファPADOメッセージである請求項5に記載の方法。
【請求項７】
前記DHCPオファメッセージが前記第1の所定の時間内に受信された場合、前記ポートの前記機能モードをWANモードに前記設定するステップは、
前記DHCPオファメッセージの中のIPアドレスを前記ポートに割り当て、前記DHCPオファメッセージを送信するDHCPサーバを相手にDHCPセッションを確立し、前記ポートの前記機能モードをWANモードに設定するステップ
を含み、
前記PADOメッセージが前記第2の所定の時間内に受信された場合、前記ポートの前記機能モードをWANモードに前記設定するステップは、
前記PADOメッセージを送信するPPPoEサーバを相手にPPPoEセッションを確立し、前記ポートの前記機能モードをWANモードに設定するステップ
を含む
請求項6に記載の方法。
【請求項８】
ポートを備えたルーティングデバイスであって、以下の構造体、すなわち、
前記ポートを介して第1の検出メッセージおよび第2の検出メッセージを同時に開始するように構成された第3の検出ユニットであって、前記第1の検出メッセージは、第1のネットワークサーバを検出するために使用され、前記第2の検出メッセージは、第2のネットワークサーバを検出するために使用される、第3の検出ユニットと、
前記第1の検出メッセージに対する第1の応答メッセージおよび前記第2の検出メッセージに対する第2の応答メッセージのうちの少なくとも一方が所定の時間内に受信された場合、前記ポートの機能モードをワイドエリアネットワークWANモードに設定するように構成された第2のWANモード設定ユニットと、
前記第1の検出メッセージに対する前記第1の応答メッセージが前記所定の時間内に受信されず、前記第2の検出メッセージに対する前記第2の応答メッセージも前記所定の時間内に受信されなかった場合、前記ポートの前記機能モードをローカルエリアネットワークLANモードに設定するように構成された第2のLANモード設定ユニットと
をさらに備えるルーティングデバイス。
【請求項９】
前記第1の検出メッセージは、動的ホスト構成プロトコルDHCP発見メッセージであり、前記第1の応答メッセージは、DHCPオファメッセージであり、前記第2の検出メッセージは、ポイントツーポイントプロトコルオーバイーサネット（登録商標）能動的発見開始PADIメッセージであり、前記第2の応答メッセージは、ポイントツーポイントプロトコルオーバイーサネット（登録商標）能動的発見オファPADOメッセージである請求項8に記載のルーティングデバイス。
【請求項１０】
前記第2のWANモード設定ユニットは、具体的には、
前記DHCPオファメッセージが前記所定の時間内に受信された際に前記PADOメッセージが受信されなかった場合、
前記DHCPオファメッセージに従って、前記DHCPオファメッセージの中のIPアドレスを前記ポートに割り当て、前記DHCPオファメッセージを送信するDHCPサーバを相手にDHCPセッションを確立し、前記ポートの前記機能モードをWANモードに設定し、
前記PADOメッセージが前記所定の時間内に受信された際に前記DHCPオファメッセージが受信されなかった場合、
前記PADOメッセージに従って、前記PADOメッセージを送信するPPPoEサーバを相手にPPPoEセッションを確立し、前記ポートの前記機能モードをWANモードに設定する
ように構成されている、請求項9に記載のルーティングデバイス。
【請求項１１】
前記第2のWANモード設定ユニットは、具体的には、
前記PADOメッセージが前記所定の時間内に受信された際に前記DHCPオファメッセージが受信されなかった場合、待ちつづけ、その後、前記DHCPオファメッセージが前記所定の時間内に受信された場合、前記DHCPオファメッセージに従って、前記DHCPオファメッセージの中のIPアドレスを前記ポートに割り当て、前記DHCPオファメッセージを送信するDHCPサーバを相手にDHCPセッションを確立し、前記ポートの前記機能モードをWANモードに設定し、前記DHCPオファメッセージが前記所定の時間内に受信されなかった場合、前記PADOメッセージに従って、前記PADOメッセージを送信するPPPoEサーバを相手にPPPoEセッションを確立し、前記ポートの前記機能モードをWANモードに設定し、
前記DHCPオファメッセージが前記所定の時間内に受信された際に前記PADOメッセージが受信されなかった場合、
前記DHCPオファメッセージに従って、前記DHCPオファメッセージの中の前記IPアドレスを前記ポートに割り当て、前記DHCPオファメッセージを送信するDHCPサーバを相手にDHCPセッションを確立し、前記ポートの前記機能モードをWANモードに設定する
ように構成されている、請求項9に記載のルーティングデバイス。
【請求項１２】
ポートを備えたルーティングデバイスであって、
前記ポートを介して第1の検出メッセージを開始するように構成された第1の検出ユニットであって、前記第1の検出メッセージは、第1のネットワークサーバを検出するために使用される、第1の検出ユニットと、
前記第1の検出メッセージに対する第1の応答メッセージが第1の所定の時間内に受信された場合、前記ポートの機能モードをワイドエリアネットワークWANモードに設定するように構成された第1のWANモード設定ユニットと、
前記第1の検出メッセージに対する前記第1の応答メッセージが前記第1の所定の時間内に受信されなかった場合、前記ポートを介して第2の検出メッセージを開始するように構成された、前記第2の検出メッセージは、第2のネットワークサーバを検出するために使用される第2の検出ユニットとをさらに備え、
前記第1のWANモード設定ユニットは、前記第2の検出メッセージに対する第2の応答メッセージが第2の所定の時間内に受信された場合、前記ポートの前記機能モードをWANモードに設定するようにさらに構成され、
前記ルーティングデバイスは、前記第2の検出メッセージに対する前記第2の応答メッセージが前記第2の所定の時間内に受信されなかった場合、前記ポートの前記機能モードをローカルエリアネットワークLANモードに設定するように構成された第1のLANモード設定ユニットをさらに備える、
ルーティングデバイス。
【請求項１３】
前記第1の検出ユニットは、動的ホスト構成プロトコルDHCPクライアントユニットであり、前記第1の検出メッセージは、DHCP発見メッセージであり、前記第1の応答メッセージは、DHCPオファメッセージであり、前記第2の検出ユニットは、ポイントツーポイントプロトコルオーバイーサネット（登録商標）PPPoEクライアントユニットであり、前記第2の検出メッセージは、ポイントツーポイントプロトコルオーバイーサネット（登録商標）能動的発見開始PADIメッセージであり、前記第2の応答メッセージは、ポイントツーポイントプロトコルオーバイーサネット（登録商標）能動的発見オファPADOメッセージである請求項12に記載のルーティングデバイス。
【請求項１４】
前記第1のWANモード設定ユニットは、具体的には、
前記DHCPオファメッセージが前記第1の所定の時間内に受信された場合、前記DHCPオファメッセージの中の前記IPアドレスを前記ポートに割り当て、前記DHCPオファメッセージを送信するDHCPサーバを相手にDHCPセッションを確立し、前記ポートの前記機能モードをWANモードに設定し、
前記PADOメッセージが前記第2の所定の時間内に受信された場合、前記PADOメッセージを送信するPPPoEサーバを相手にPPPoEセッションを確立し、前記ポートの前記機能モードをWANモードに設定する
ように構成されている、請求項13に記載のルーティングデバイス。
【請求項１５】
ポートと、
第2のプロセッサとを備え、前記第2のプロセッサは、ポートを介して第1の検出メッセージおよび第2の検出メッセージを同時に開始することであって、前記第1の検出メッセージは、第1のネットワークサーバを検出するために使用され、前記第2の検出メッセージは、第2のネットワークサーバを検出するために使用される、開始すること、前記第1の検出メッセージに対する第1の応答メッセージおよび前記第2の検出メッセージに対する第2の応答メッセージのうちの少なくとも一方が所定の時間内に受信された場合、前記ポートの機能モードをWANモードに設定すること、ならびに前記第1の検出メッセージに対する前記第1の応答メッセージが前記所定の時間内に受信されず、前記第2の検出メッセージに対する前記第2の応答メッセージも前記所定の時間内に受信されなかった場合、前記ポートの前記機能モードをLANモードに設定することを行うように構成されている、
ルーティングデバイス。
【請求項１６】
前記第1の検出メッセージは、動的ホスト構成プロトコルDHCP発見メッセージであり、前記第1の応答メッセージは、DHCPオファメッセージであり、前記第2の検出メッセージは、ポイントツーポイントプロトコルオーバイーサネット（登録商標）能動的発見開始PADIメッセージであり、前記第2の応答メッセージは、ポイントツーポイントプロトコルオーバイーサネット（登録商標）能動的発見オファPADOメッセージである請求項15に記載のルーティングデバイス。
【請求項１７】
前記第2のプロセッサは、具体的には、
前記DHCPオファメッセージが前記所定の時間内に受信された際に前記PADOメッセージが受信されなかった場合、
前記DHCPオファメッセージに従って、前記DHCPオファメッセージの中のIPアドレスを前記ポートに割り当て、前記DHCPオファメッセージを送信するDHCPサーバを相手にDHCPセッションを確立し、前記ポートの前記機能モードをWANモードに設定し、
前記PADOメッセージが前記所定の時間内に受信された際に前記DHCPオファメッセージが受信されなかった場合、
前記PADOメッセージに従って、前記PADOメッセージを送信するPPPoEサーバを相手にPPPoEセッションを確立し、前記ポートの前記機能モードをWANモードに設定する
ように構成されている、請求項16に記載のルーティングデバイス。
【請求項１８】
前記第2のプロセッサは、具体的には、
前記PADOメッセージが前記所定の時間内に受信された際に前記DHCPオファメッセージが受信されなかった場合、待ちつづけ、その後、前記DHCPオファメッセージが前記所定の時間内に受信された場合、前記DHCPオファメッセージに従って、前記DHCPオファメッセージの中のIPアドレスを前記ポートに割り当て、前記DHCPオファメッセージを送信するDHCPサーバを相手にDHCPセッションを確立し、前記ポートの前記機能モードをWANモードに設定し、前記DHCPオファメッセージが前記所定の時間内に受信されなかった場合、前記PADOメッセージに従って、前記PADOメッセージを送信するPPPoEサーバを相手にPPPoEセッションを確立し、前記ポートの前記機能モードをWANモードに設定し、
前記DHCPオファメッセージが前記所定の時間内に受信された際に前記PADOメッセージが受信されなかった場合、
前記DHCPオファメッセージに従って、前記DHCPオファメッセージの中の前記IPアドレスを前記ポートに割り当て、前記DHCPオファメッセージを送信するDHCPサーバを相手にDHCPセッションを確立し、前記ポートの前記機能モードをWANモードに設定する
ように構成されている、請求項16に記載のルーティングデバイス。
【請求項１９】
ポートと、
第1のプロセッサとを備え、前記第1のプロセッサは、前記ポートを介して第1の検出メッセージを開始することであって、前記第1の検出メッセージは、第1のネットワークサーバを検出するために使用される、第1の検出メッセージを開始すること、前記第1の検出メッセージに対する第1の応答メッセージが第1の所定の時間内に受信された場合、前記ポートの機能モードをWANモードに設定すること、前記第1の検出メッセージに対する第1の応答メッセージが第1の所定の時間内に受信されなかった場合、前記ポートを介して第2の検出メッセージを開始することであって、前記第2の検出メッセージは、第2のネットワークサーバを検出するために使用される、第2の検出メッセージを開始すること、前記第2の検出メッセージに対する第2の応答メッセージが第2の所定の時間内に受信された場合、前記ポートの前記機能モードをWANモードに設定すること、および前記第2の応答メッセージが前記第2の所定の時間内に受信されなかった場合、前記ポートの前記機能モードをLANモードに設定することを行うように構成されている、
ルーティングデバイス。
【請求項２０】
前記第1の検出メッセージは、DHCP発見メッセージであり、前記第1の応答メッセージは、DHCPオファメッセージであり、前記第2の検出メッセージは、ポイントツーポイントプロトコルオーバイーサネット（登録商標）能動的発見開始PADIメッセージであり、前記第2の応答メッセージは、ポイントツーポイントプロトコルオーバイーサネット（登録商標）能動的発見オファPADOメッセージである請求項19に記載のルーティングデバイス。
【請求項２１】
前記第1のプロセッサは、具体的には、
前記DHCPオファメッセージが前記第1の所定の時間内に受信された場合、前記DHCPオファメッセージの中のIPアドレスを前記ポートに割り当て、前記DHCPオファメッセージを送信するDHCPサーバを相手にDHCPセッションを確立し、前記ポートの前記機能モードをWANモードに設定し、
前記PADOメッセージが前記第2の所定の時間内に受信された場合、前記PADOメッセージを送信するPPPoEサーバを相手にPPPoEセッションを確立し、前記ポートの前記機能モードをWANモードに設定する
ように構成されている、請求項20に記載のルーティングデバイス。
【請求項２２】
請求項1から4のいずれか一項に記載の方法をコンピュータに実行させるプログラムが記録されているコンピュータ可読記録媒体。
【請求項２３】
請求項5から7のいずれか一項に記載の方法をコンピュータに実行させるプログラムが記録されているコンピュータ可読記録媒体。
【手続補正２】
【補正対象書類名】明細書
【補正対象項目名】０００７
【補正方法】変更
【補正の内容】
【０００７】
本発明の第1の態様の第1の可能な実施方法と組み合わせて、第2の可能な実施方法において、第1の検出メッセージに対する第1の応答メッセージおよび第2の検出メッセージに対する第2の応答メッセージのうちの少なくとも一方が所定の時間内に受信された場合、ポートの機能モードをワイドエリアネットワークWANモードに設定するステップは、
DHCPオファメッセージが所定の時間内に受信された際にPADOメッセージが受信されなかった場合、
DHCPオファメッセージに従って、DHCPオファメッセージの中のIPアドレスをポートに割り当て、DHCPオファメッセージを送信するDHCPサーバを相手にDHCPセッションを確立し、ポートの機能モードをWANモードに設定するステップと、
PADOメッセージが所定の時間内に受信された際にDHCPオファメッセージが受信されなかった場合、
PADOメッセージに従って、PADOメッセージを送信するPPPoEサーバを相手にPPPoEセッションを確立し、ポートの機能モードをWANモードに設定するステップと
を含む。
【手続補正３】
【補正対象書類名】明細書
【補正対象項目名】０００８
【補正方法】変更
【補正の内容】
【０００８】
本発明の第1の態様の第1の可能な実施方法と組み合わせて、第3の可能な実施方法において、第1の検出メッセージに対する第1の応答メッセージおよび第2の検出メッセージに対する第2の応答メッセージのうちの少なくとも一方が所定の時間内に受信された場合、ポートの機能モードをワイドエリアネットワークWANモードに設定するステップは、
PADOメッセージが所定の時間内に受信された際にDHCPオファメッセージが受信されなかった場合、待ちつづけ、その後、DHCPオファメッセージが所定の時間内に受信された場合、DHCPオファメッセージに従って、DHCPオファメッセージの中のIPアドレスをポートに割り当て、DHCPオファメッセージを送信するDHCPサーバを相手にDHCPセッションを確立し、ポートの機能モードをWANモードに設定し、DHCPオファメッセージが所定の時間内に受信されなかった場合、PADOメッセージに従って、PADOメッセージを送信するPPPoEサーバを相手にPPPoEセッションを確立し、ポートの機能モードをWANモードに設定するステップと、
DHCPオファメッセージが所定の時間内に受信された際にPADOメッセージが受信されなかった場合、
DHCPオファメッセージに従って、DHCPオファメッセージの中のIPアドレスをポートに割り当て、DHCPオファメッセージを送信するDHCPサーバを相手にDHCPセッションを確立し、ポートの機能モードをWANモードに設定するステップと
を含む。
【手続補正４】
【補正対象書類名】明細書
【補正対象項目名】００１１
【補正方法】変更
【補正の内容】
【００１１】
本発明の第2の態様の第1の可能な実施方法と組み合わせて、第2の可能な実施方法において、DHCPオファメッセージが第1の所定の時間内に受信された場合、ポートの機能モードをWANモードに設定するステップは、
DHCPオファメッセージの中のIPアドレスをポートに割り当て、DHCPオファメッセージを送信するDHCPサーバを相手にDHCPセッションを確立し、ポートの機能モードをWANモードに設定するステップ
を含み、
PADOメッセージが第2の所定の時間内に受信された場合、ポートの機能モードをWANモードに設定するステップは、
PADOメッセージを送信するPPPoEサーバを相手にPPPoEセッションを確立し、ポートの機能モードをWANモードに設定するステップ
を含む。
【国際調査報告】
2014535228.tif 000015
2014535228.tif 000016
2014535228.tif 000017
2014535228.tif 000018
2014535228.tif 000019
2014535228.tif 000020